(57)【要約】コンピュータに実装された分析及び報告システム（図１）は、入力装置（１２）、データベース（１４）及びプロセッサ（１６）を有する。前記入力装置（１２）は、試料の分析データ結果を入力する作用を有する。前記データベースは分析方法データ部（１４ａ）、器具データ部（１４ｂ）及びフォームデータ部（１４ｃ）を有する。前記プロセッサ（１６）は、前記入力装置（１２）から前記試料の分析データ結果の入力を受ける作用を有する。また、前記プロセッサは、前記データベースから、少なくともひとつの分析方法の分析方法データ、少なくともひとつの分析器具の器具データ（１４ｂ）及び所望の分析報告フォームのフォームデータの入力を受ける作用を有する。さらに、前記プロセッサは、前記分析データ結果及び前記器具データを、前記分析方法データ（１４ａ）を用いて処理する作用を有するとともに、前記所望の分析報告フォームの上に作成された、前記分析方法及び前記分析器具に基づく最終分析結果を表す分析報告を生成する作用を有する。
2004507749.tif 000002
【特許請求の範囲】
【請求項１】
試料用の、コンピュータに実装された分析及び報告システムであって、
前記試料の分析データ結果を入力する作用を有する入力手段と、
少なくともひとつの分析方法を実行するための分析方法データを含む分析方法データ部と、少なくともひとつの分析器具をモデリングするための器具データを含む器具データ部と、複数の分析報告フォームのうち所望のものを提供するためのフォームデータを含むフォームデータ部とを含むデータベースと、
前記入力手段から前記試料の分析データ結果の入力を受けるとともに、前記データベースから前記少なくともひとつの分析方法の分析方法データ、前記少なくともひとつの分析器具の器具データ及び前記所望の分析報告フォームのフォームデータの入力を受ける作用を有し、前記分析データ結果及び器具データを前記分析方法データを用いて処理する作用を有するとともに、前記分析報告フォームのうち所望のものの上に作成された、前記少なくともひとつの分析方法及び前記少なくともひとつの分析器具に基づく最終分析結果を表す分析報告を生成する作用を有することを特徴とするシステム
【発明の詳細な説明】
【０００１】
［０００１］　本願は、２０００年８月３０日出願の仮出願第６０／２２９，５５３号から変更した通常出願であり、仮出願の内容は、すべての目的のために、引用によって本願中に組み込まれるものとする。出願人は、これにより、前記仮出願の優先権を主張する。
【０００２】
【発明の属する技術分野】
［０００２］　本発明は、物質分析検査及び報告システムに関する。より詳細には、本発明は、コンピュータに実装された物質分析検査及び報告システムに関する。
【０００３】
【従来の技術】
［０００３］　会社や政府経営施設は、その多くが、操業の結果、環境に有害な影響を与える可能性を有する廃液を生成する。連邦政府、州政府及び地方自治体は、環境を汚染から守るため、前記のような廃液を規制する法律や法令を可決している。その結果、前述の会社や政府経営施設は、頻繁に廃液の分析検査を行い、その結果を政府の所轄官庁に報告しなければならない。しかし、多様な政府の所轄官庁に報告する標準的なやり方は存在しない。
【０００４】
【課題を解決するための手段】
発明の要約
［０００４］　以下、コンピュータに実装された分析及び報告システムについて説明する。本発明のコンピュータに実装された分析及び報告システムは、入力装置、データベース及びプロセッサを有する。前記入力装置は、試料の分析データ結果を入力する作用を有する。前記データベースは分析方法データ部、器具データ部及びフォームデータ部を有する。前記分析方法データ部は、少なくともひとつの分析方法を実行する方法データを有する。前記器具データ部は、少なくともひとつの分析器具をモデリングする器具データを有する。前記フォームデータ部は、複数の分析報告フォームのうち所望のものを提供するフォームデータを有する。
【０００５】
［０００５］　前記プロセッサは、前記入力装置から前記試料の分析データ結果の入力を受ける作用を有する。また、前記プロセッサは、前記データベースから、前記少なくともひとつの分析方法の分析方法データ、前記少なくともひとつの分析器具の器具データ及び前記所望の分析報告フォームのフォームデータの入力を受ける作用を有する。さらに、前記プロセッサは、前記分析データ結果及び器具データを、前記分析方法データを用いて処理する作用を有するとともに、前記分析報告フォームのうち所望のものの上に作成された、前記少なくともひとつの分析方法及び前記少なくともひとつの分析器具に基づく最終分析結果を表す分析報告を生成する作用を有する。
【０００６】
【発明の実施の形態】
［０００６］　本発明の利点は、添付図面と関連付けてなされる以下の典型的な実施態様の説明により明らかとなるであろう。
【０００７】
典型的な実施態様の詳細な説明
［０００８］　図１に示すように、本発明のコンピュータに実装された分析及び報告システム１０は、入力装置１２、データベース１４、プロセッサ１６及び出力装置１８を有する。本発明のコンピュータに実装された分析及び報告システム１０は、試料の分析と該分析結果の報告を行うために使用される。前記入力装置１２は、前記試料の分析データ結果を入力する作用を有する。熟練技術者であれば、前記試料の分析データ結果は従来のコンピュータモニタ及びキーボードによって入力することができることが理解されよう。代替的に、熟練技術者であれば、該分析データ結果が分析器具それ自身、例えば、ｐＨ計などによって提供されるものとすることも可能であることが理解されよう。
【０００８】
［０００９］　前記データベース１４は、分析方法データ部１４ａ，器具データ部１４ｂ及びフォームデータ部１４ｃを有する。前記分析方法データ部１４ａは、少なくともひとつの分析方法を実行するための分析方法データを含む。前記器具データ部１４ｂは、少なくともひとつの分析器具をモデリングするための器具データを含む。前記フォームデータ部１４ｃは複数の分析報告フォームのうち所望のものを提供するためのフォームデータを含む。
【０００９】
［００１０］　前記プロセッサ１６は、前記入力装置１２から前記試料の分析データ結果の入力を受ける作用を有するとともに、前記データベース１４から、前記少なくともひとつの分析方法の分析方法データ、前記少なくともひとつの分析器具の器具データ及び前記所望の分析報告フォームのフォームデータの入力を受ける作用を有する。また、該プロセッサ１６は、前記分析データ結果及び前記器具データを前記分析方法データを用いて処理する作用を有する。さらに、該プロセッサ１６は、前記分析報告フォームのうちの所望のものの上に作成された分析報告を生成する作用を有する。前記分析報告フォームのうち所望のものは、前記出力装置１８により生成する。図１に示すように、前記分析報告フォームはモニタ上に表示することができ、プリンタから印刷することもできる。また、熟練技術者であれば、該報告が、電子的にディスク上ないしデータベース中に記憶することができることも理解されよう。どちらの場合も、前記分析報告フォームは、前記少なくともひとつの分析方法及び前記少なくともひとつの分析器具に基づく前記最終分析結果を表示する。
【００１０】
［００１１］　添付の書類は、すべての目的のため、引用により本願中に組み込まれるものとする：
１．ＥＩＳＣの分析検査及び報告スイート、無機及び有機実験生産のためのソフトウェア（ＥＩＳＣ’ｓ Ａｎａｌｙｔｉｃａｌ Ｒｅｖｉｅｗ ａｎｄ Ｒｅｐｏｒｔｉｎｇ Ｓｕｉｔｅ， Ｓｏｆｔｗａｒｅ ｆｏｒ Ｉｎｏｒｇａｎｉｃ ａｎｄ Ｏｒｇａｎｉｃ Ｌａｂｏｒａｔｏｒｙ Ｐｒｏｄｕｃｔｉｏｎ）；
２．ＭＡＲＲＳ自己実装仕様（ＭＡＲＲＳ Ｓｅｌｆ−Ｉｍｐｌｅｍｅｎｔ Ｓｐｅｃｉｆｉｃａｔｉｏｎｓ）；
３．金属分析検査及び報告システム−操作手順第４．０版（Ｍｅｔａｌｓ Ａｎａｌｙｔｉｃａｌ Ｒｅｖｉｅｗ ａｎｄ Ｒｅｐｏｒｔｉｎｇ Ｓｙｓｔｅｍ−Ｏｐｅｒａｔｉｎｇ Ｐｒｏｃｅｄｕｒｅ Ｖｅｒｓｉｏｎ ４．０）。
【００１１】
［００１２］　上述した本発明の実施態様は、その発明の趣旨から逸脱することなく変更が可能であることは、当該技術分野の通常の技能を有する者が認識するところであろう。したがって、本発明は開示されている特定の実施態様に限定されるものではなく、本発明の範囲と趣旨に含まれるいかなる修正も包含することを意図するものであることが理解される。
【００１２】
［［ＥＩＳＣ Ｅｎｖｉｒｏｎｍｅｎｔａｌ Ｉｎｆｏｒｍａｔｉｏｎ Ｓｙｓｔｅｍｓ， Ｃｏｒｐｏｒａｔｉｏｎ］］
［ＥＩＳＣの分析検査及び報告スイート］
無機物及び有機物の実験生産のためのソフトウェア
エンヴァイロンメンタル・インフォメーション・システムズ，コーポレーション（Ｅｎｖｉｒｏｎｍｅｎｔａｌ Ｉｎｆｏｒｍａｔｉｏｎ Ｓｙｓｔｅｍｓ， Ｃｏｒｐｏｒａｔｉｏｎ）
ネヴァダ州　８９１０３、ラスヴェガス、スイート２２１号、ウェスト・トロピカーナ・アヴェニュー　６７６７（６７６７ Ｗ． Ｔｒｏｐｉｃａｎａ Ａｖｅｎｕｅ， Ｓｕｉｔｅ ２２１ Ｌａｓ Ｖｅｇａｓ， Ｎｅｖａｄａ ８９１０３）
ｗｗｗ．ｅｉｓｃ．ｎｅｔ
【００１３】
［［ＥＩＳＣ Ｅｎｖｉｒｏｎｍｅｎｔａｌ Ｉｎｆｏｒｍａｔｉｏｎ Ｓｙｓｔｅｍｓ， Ｃｏｒｐｏｒａｔｉｏｎ］］
目次
頁
システムの目的・・・・・・・・・・・・・・・・・・２
ＥＩＳＣクライアントの目標（本システムによる）・・３
システムの差別化・・・・・・・・・・・・・・・・・４
システムのバリエーション
・分析プロセス・・・・・・・・・・・・・・・・・・５
・分析器具への接続性・・・・・・・・・・・・・・・９
・結果の処理
・無機物・・・・・・・・・・・・・・・・・・・・１０
・有機物・・・・・・・・・・・・・・・・・・・・１５
システムの特徴
・金属分析検査及び報告システム・・・・・・・・・・２０
・一般化学分析検査及び報告システム・・・・・・・・２１
・有機物分析検査及び報告システム：揮発性物質・・・２２
・有機物分析検査及び報告システム：半揮発性物質・・２３
・有機物分析検査及び報告システム：殺虫剤・・・・・２４
・有機物分析検査及び報告システム：除草剤及び爆薬・２５
【００１４】
［［ＥＩＳＣ Ｅｎｖｉｒｏｎｍｅｎｔａｌ Ｉｎｆｏｒｍａｔｉｏｎ Ｓｙｓｔｅｍｓ， Ｃｏｒｐｏｒａｔｉｏｎ］］
＜ＥＩＳＣの分析検査及び報告スイート＞
エンヴァイロンメンタル・インフォメーション・システムズ，コーポレーションの分析検査及び報告スイートソフトウェアは６つのモジュールにわかれています：
・金属分析検査及び報告システム
・一般化学分析検査及び報告システム
・有機物分析検査及び報告システム：揮発性物質
・有機物分析検査及び報告システム：半揮発性物質
・有機物分析検査及び報告システム：殺虫剤
・有機物分析検査及び報告システム：除草剤及び爆薬
【００１５】
［分析検査及び報告システムの目的］
・無機物、有機物、固形廃棄物及び空気の分析結果の報告を定式化すること。
・実験分析結果の報告フォーマットをそろえること。
・連邦政府、地区政府、州政府及び地方自治体の制定した環境法令と整合させること。
・浄水法（Ｃｌｅａｎ Ｗａｔｅｒ Ａｃｔ）、安全飲料水法（Ｓａｆｅ Ｄｒｉｎｋｉｎｇ Ｗａｔｅｒ Ａｃｔ）、環境保全資源利用及び回復法（Ｒｅｓｏｕｒｃｅ Ｃｏｎｓｅｒｖａｔｉｏｎ ａｎｄ Ｒｅｃｏｖｅｒｙ Ａｃｔ）；包括環境回答（Ｃｏｍｐｒｅｈｅｎｓｉｖｅ Ｅｎｖｉｒｏｎｍｅｎｔａｌ Ｒｅｓｐｏｎｓｅ）、補償及び責任法スーパーファンド改正法及び再授権法（Ｃｏｍｐｅｎｓａｔｉｏｎ ａｎｄ Ｌｉａｂｉｌｉｔｙ Ａｃｔ Ｓｕｐｅｒｆｕｎｄ Ａｍｅｎｄｍｅｎｔｓ ａｎｄ ＲｅＡｕｔｈｏｒｉｚａｔｉｏｎ Ａｃｔ）、その他の法律のための報告を定式化すること。
・空気と水の品質基準、空気品質管理、水の供給、廃水処理、暴風雨水管理、固形廃棄物、有害廃棄物、及び一般環境アセスメントのための、意思決定者のために結果を定式化すること。
・汚染産出及び潜在的な健康への影響との因果関係及び汚染物質源に対する有責者を決定すること。
【００１６】
［［ＥＩＳＣ Ｅｎｖｉｒｏｎｍｅｎｔａｌ Ｉｎｆｏｒｍａｔｉｏｎ Ｓｙｓｔｅｍｓ， Ｃｏｒｐｏｒａｔｉｏｎ］］
＜ＥＩＳＣの分析検査及び報告スイート＞
［ＥＩＳＣ：クライアントの目標］
以下、ＥＩＳＣのクライアント・カテゴリ及びＥＩＳＣの分析検査及び報告システムを使用することによって達成しようとする目標をリストアップします。
・民間の研究機関
ＥＩＳＣの民間研究機関クライアントは、空軍、固形廃棄物、及び、州政府及び地方自治体の報告要件とともに、契約研究プログラムの報告要件を、生産性を向上しデータ品質の確実性を維持しつつ、柔軟に満足させることができます。
・ＤＯＥ研究機関
ＥＩＳＣのＤＯＥ研究機関クライアントは、特殊な混合廃棄物分析及びこれら特定の政府管轄地域内でのみ明白な特殊な方法のデータ品質保証の側面を達成することを目指し努力しています。
・医薬品研究機関
ＥＩＳＣの医薬品研究機関クライアントは、ＦＤＡの要件を満たす試験とともに、自身の医薬品試験を実施しています。
・環境アセスメント研究機関
ＥＩＳＣの環境アセスメント研究機関クライアントは、企業自身の排気物流のデータ品質保証及びアセスメントのためにＥＩＳＣソフトウェアを使用します。これには、公益事業、採鉱及び石油会社を含みます。
・食品研究機関
ＥＩＳＣの食品研究機関クライアントは、空軍、固形廃棄物、及び、農務省の報告要件とともに、契約研究プログラムの報告要件を、生産性を向上しデータ品質の確実性を維持しつつ、柔軟に満足させることができるようにすることを目指し努力しています。
【００１７】
［［ＥＩＳＣ Ｅｎｖｉｒｏｎｍｅｎｔａｌ Ｉｎｆｏｒｍａｔｉｏｎ Ｓｙｓｔｅｍｓ， Ｃｏｒｐｏｒａｔｉｏｎ］］
＜ＥＩＳＣの分析検査及び報告スイート＞
［ソフトウェアシステムの差別化］
ＥＩＳＣの分析検査及び報告スイートは次のような理由から、他のあらゆる産業システムと異なり、より優れています：
・必要とされる様々な方式要件を、分析プロセスの変更を要することなく、満たすことができる柔軟性を提供します。現在、同様の機能を有するシステムは他にございません。
・現在産業平均と比較して、生産性が９００％アップ（９倍スピードアップ）します。分析検査（６０秒）及び報告（１５秒）を提供する現在最速の方法です。
・同一ソフトウェアシステム内に分析検査及び報告の両方を併せ持った最初にして唯一のシステムです。
・一般化学向けの最初にして唯一の市販ソフトウェアです。
・自己（ユーザ）定義した元の無限数を提供する最初にして唯一のソフトウェアシステムです。
・ひとつのシステムで分析検査及びクライアント報告を両方提供する唯一の金属ソフトウェアです
・分析検査を自動実行する唯一の金属ソフトウェア
・分析データを検査する最速方法です・・・わずか９０秒で全分析処理を確認します
・ひとつのシステムでＳＷ８４９及びＣＬＰ及び報告の両方を提供する唯一の金属ソフトウェアです
・ＳＷ８４６、ＣＬＰ、ＡＦＣＥＥ、ＤＯＤ、ＤＯＥ、ＩＬＣＯ３．０を含む、クライアント固有の金属報告及びＥＤＤのどんなタイプでも生成する柔軟性を有する唯一のシステムです。
・ＣＬＰフォーム全１４フォームを、約１５分で生成する最速方法です
・研究機関内どこからでもネットワーク接続可能です
・ＬＩＭＳに直接接続します
・実装が簡単です
・ＡＦＣＥＥ報告を提供する最初のソフトウェアシステムです
・ＳＷ８４６報告を提供する最初のソフトウェアシステムです
・ＩＬＣ報告を提供する最初のソフトウェアシステムです
・一般化学用報告フォーマットを初めて標準化するものです
【００１８】
［［ＥＩＳＣ Ｅｎｖｉｒｏｎｍｅｎｔａｌ Ｉｎｆｏｒｍａｔｉｏｎ Ｓｙｓｔｅｍｓ， Ｃｏｒｐｏｒａｔｉｏｎ］］
＜ＥＩＳＣの分析検査及び報告スイート＞
［分析検査及び報告スイートのバリエーション］
ＥＩＳＣの分析検査及び報告システムは、必ず同一プロセスフロー内で動作します。差異があらわれるのは、分析プロセス、分析器具への接続性及び結果の処理の内部となります。
【００１９】
［分析プロセス］
疾病やその原因に関する（意思決定者への）結果の報告を定式化します。
【００２０】
【表１】
2004507749.tif 000003
【００２１】
【表２】
2004507749.tif 000004
【００２２】
【表３】
2004507749.tif 000005
【００２３】
【表４】
2004507749.tif 000006
【００２４】
【表５】
2004507749.tif 000007
【００２５】
【表６】
2004507749.tif 000008
【００２６】
【表７】
2004507749.tif 000009
【００２７】
（分析検査及び報告スイートのバリエーションの続き）
［分析器具への接続性］
研究機関の業務の中では様々な器具が使用されるため、分析検査及び報告システムはこれらの器具への接続によって異なるものとなります。たとえば、無機物質研究所内に設置された器具は、一般化学研究所などの中のそれとは異なります。ＥＩＳＣモジュール及びその対応する器具を以下にリストアップします。
【００２８】
金属分析検査及び報告システム：
接続可能な器具：
・ＩＣＰ（Ｉｎｄｕｃｔｉｖｅｌｙ Ｃｏｕｐｌｅｄ Ｐｌａｓｍａ：誘導結合プラズマ）
・ＩＣＰ／質量分析法
・黒鉛炉原子吸光（Ｇｒａｐｈｉｔｅ Ｆｕｒｎａｃｅ Ａｔｏｍｉｃ Ａｂｓｏｒｐｔｉｏｎ： ＧＦＡＡ）
・炎光原子吸光（Ｆｌａｍｅ Ａｔｏｍｉｃ Ａｂｓｏｒｐｔｉｏｎ）
・冷蒸原子吸光（Ｃｏｌｄ Ｖａｐｏｒ Ａｔｏｍｉｃ Ａｂｓｏｒｐｔｉｏｎ）
・シアン化物（ｌａｔｃｈａｔ）
【００２９】
一般化学分析検査及び報告システム
接続可能な器具：
・イオンクロマトグラフ（Ｉｏｎ Ｃｈｒｏｍａｔｏｇｒａｐｈｓ）
・Ｌａｔｃｈａｔ；メトラー社天秤（Ｍｅｔｔｌｅｒ Ｂａｌａｎｃｅ）
・色測定（Ｌａｔｃｈａｔ）
・導電率計（Ｃｏｎｄｕｃｔｉｖｉｔｙ Ｍｅｔｅｒ）
・イオン選択性電極分析
・滴定
・全有機炭酸成分（Ｔｏｔａｌ Ｏｒｇａｎｉｃ Ｃａｒｂｏｎ）
・赤外分光法（Ｉｎｆｒａｒｅｄ Ｓｐｅｃｔｒｏｓｃｏｐｙ）
【００３０】
有機物分析検査及び報告システム：揮発性物質
接続可能な器具：
・ガスクロマトグラフ／質量分析器
・液体クロマトグラフ／質量分析器
・ガスクロマトグラフ
【００３１】
有機物分析検査及び報告システム：半揮発性物質
・ガスクロマトグラフ／質量分析器
・液体クロマトグラフ／質量分析器
【００３２】
有機物分析検査及び報告システム：殺虫剤
・ガスクロマトグラフ
・液体クロマトグラフ
【００３３】
有機物分析検査及び報告システム：除草剤及び爆薬
・高圧液体クロマトグラフィ（ＨＰＬＣ）
【００３４】
（分析検査及び報告スイートのバリエーションの続き）
［結果の処理］
結果の処理は、ご使用の器具の性能、研究所内の汚染、現場設備の汚染、分析設備構成や抽出効率及び／又は温浸効率、及び環境試料の検査水準の決定によって異なります。
【００３５】
無機物システムに対する結果の処理
−金属分析検査及び報告システム
−一般化学分析検査及び報告システム
【００３６】
分析試料：
器具の較正、初期較正検証、初期較正空試験、継続較正検証、継続較正空試験を除く分析を実行する器具に導入される任意の溶液又は媒質です。分析試料として以下のすべてが定義されることに注意してください：非希釈及び希釈試料（ＥＰＡ及びｎｏｎ−ＥＰＡ）、前温浸（ｐｒｅｄｉｇｅｓｔｉｏｎ）スパイク試料、複製試料、連続希釈試料、分析スパイク試料、後温浸（ｐｏｓｔ−ｄｉｇｅｓｔｉｏｎ）スパイク試料、干渉チェック試料（Ｉｎｔｅｒｆｅｒｅｎｃｅ Ｃｈｅｃｋ Ｓａｍｐｌｅ：ＩＣＳ）、ＡＡ用ＣＲＤＬ標準（ＣＲＤＬ ｓｔａｎｄａｒｄ ｆｏｒ ＡＡ：ＣＲＡ）、ＩＣＰ用ＣＲＤＬ標準（ＣＲＤＬ ｓｔａｎｄａｒｄ ｆｏｒ ＩＣＰ：ＣＲＩ）実験対照標準試料（Ｌａｂｏｒａｔｏｒｙ Ｃｏｎｔｒｏｌ Ｓａｍｐｌｅ：ＬＣＳ）、準備空試料（Ｐｒｅｐａｒａｔｉｏｎ Ｂｌａｎｋ：ＰＢ）及び線形域（ｌｉｎｅａｒ ｒａｎｇｅ）分析試料。
【００３７】
分析スパイク：
（無機物分析）後温浸スパイク。温浸後、既知量の標準液を添加します。
【００３８】
オートゼロ（Ａｕｔｏｚｅｒｏ）
（無機物分析）器具を適切な波長でゼロ設定します。吸光度をゼロにして標準試料空試験を行うことに同義です。
【００３９】
平均強度
（無機物分析）２つの異なる射出（露光）の平均です。
【００４０】
バックグラウンド補正
（無機物分析）：微量成分の測定における器具の信号への様々なバックグラウンドの寄与を補償する技術です。
【００４１】
バイアス（Ｂｌａｓ）
処理中のシステム上のエラーによる、真値からの測定値の一定の乖離。
【００４２】
空試料（方法空試料）
空試料とは、人工物のプロセスへの導入を監視するよう設計された人工試料です。水性試料用には、空試料マトリックスとして試薬水を用います。一方、固体資料用には、一般的な空試料マトリックスは存在しませんが、時に、空試料マトリックスとして汚れていない砂を使用します。プロセスの適当な工程を通じて空試料が採用されます。試薬空試料とは、分析バッチで分析される検体不要の水又は溶媒のアリコートのことをいいます。現場空試料とは、密封した容器にいれて現場に持ち込み、試料容器で研究所に運び回収される検体不要の水又は溶媒のアリコートのことです。トリップ（ｔｒｉｐ）空試料及び装置空試料が、現場空試料の典型的な２つのタイプです。トリップ空試料は現場で開封されることはありません。トリップ空試料は試料の輸送や発送もしくは現場の状態によって生じる試料の汚染のチェックです。装置空試料は、現場で開封され、その中身を試料収集装置に適当に注ぎ、試料容器の中に回収し、試料として研究室に持ち帰ります。装置空試料は、試料装置の清潔さのチェックです。
【００４３】
較正
（無機物分析）吸光度、照射強度又は既知の標準品の他の測定された特性に基づく、分析曲線の定立のことです。試料の調製に用いるのと同じタイプの酸剤及び試薬又は酸剤の濃度を用いて較正標準品を調製しなければなりません。
【００４４】
（結果の処理、無機物）
較正空試料
（無機物分析）通常、できる限り検体不要で、較正標準品の調製に使用する体積の等しい化学試薬とともに調製され、較正標準品の調製に使用する同じ溶媒（水有機物）で適切な体積に希釈される有機物又は水性の溶液です。較正は、濃度較正曲線に対する器具の応答に対してゼロ値を与えるために使用されます。使用時、較正空試料は、各分析バッチ又は試料の各方法固有の数のうち大きいほうで分析しなければなりません。
【００４５】
較正チェック
器具の検体量への応答率の照合、適当な溶媒中の検体標準品に対する分析をすることによって較正チェックがなされます。較正チェック溶液は標準品の調製に使用される貯蔵液とは異なる貯蔵液から作成されます。
【００４６】
較正チェック標準
定期的な再較正の間の器具の較正の状態を測定するために使用される標準規格です。
【００４７】
較正標準品
器具の較正（すなわち、分析曲線の作成）のために分析者が用いる既知の一連の標準溶液です。
【００４８】
チェック試料−
分析方法の実行を監視するために独立ソースからの検体を添加（スパイク）した空試料をチェック試料と呼びます。スパイク（添加）のレベルは、該当する規則がある場合には、規則の実施レベルでなければなりません。規則がない場合には、スパイクは、定量化限度の予測値の５倍でなければなりません。使用するマトリックスは、試料と位相整合され、よく特徴づけられていなければならず、例えば、試薬グレードの水が水性試料には適しています。
【００４９】
チェック標準品
測定プロセスを評価するために試料と同時に分析される既知の成分を有する物質のことです。分析システムの較正を照合するために分析される分析標準品です。ひとつのチェック標準品は、分析バッチないし２０試料のどちらか大きいほう毎に分析されなければなりません。（較正チェック標準及び較正チェックの項参照）
【００５０】
確実性係数−
蓋然性、測定結果が、確実な区間または確実な限界値間に収まる百分率のこと。
【００５１】
確実な区間
真値が所定の蓋然性レベルにある可能な値の集合のこと。
【００５２】
確実な限界値
確実な区間を画定する境界値のうちのひとつです。
【００５３】
継続較正
（無機物分析）分析標準品は、１０分析試料毎または２時間毎のうち頻度の高いほうで実行され、システムの較正を照合します。
【００５４】
対照標準限界
適合的であるために所定の測定結果が収まっていなければならない範囲。対照標準限界は、それを超えたら補正措置を要求する強制的なものであってもよく、適合しないデータにフラグを立てることを要求する助言的なものであってもよい。
【００５５】
相関係数
２つの変数（濃度−吸光度）間の依存度を表す数字（ｒ）です。依存度が高いほど、値が１に近くなります。最小の方形線に基づき決定します。
【００５６】
（結果の処理、無機物）
複製
方法の正確性を測定するために元の試料と同様に扱われる試料の第２のアリコートです。
【００５７】
複製試料
複製試料とは、同じソースから採取された２つの別個の試料です（すなわち、別の容器内で独立に分析されます）。
【００５８】
環境試料
環境試料又は現場試料とは、組成又は汚染の測定が要求ないし必要とされる任意のソースから採集された任意の物質（水性、非水性または複合媒体）の代表試料のことです。環境試料は通常次のように分類されます：
・飲料水−飲料用水として予定された配給（処理または未処理の）水、
・水／廃水−公共の飲料水供給のための生の源水、地下水、地方自治体の流入水／流出水、産業用流入水／流出水、
・汚泥−地方自治体の汚泥及び産業用の汚泥、
・廃棄物−水性及び非水性廃棄物、化学固形物、汚染土壌、及び産業用液状・固体状廃棄物。
【００５９】
装置空試料
通常、できるだけ検体不要で、現場に搬送され、現場で開封され、試料収集装置に注ぎ、試料容器に回収し、研究所に持ち帰る有機物または水性の溶液です。これは、試料採取装置の清潔さをチェックする効果があります。各分析バッチまたは２０試料毎のうちいずれか大きいほうについてひとつの装置空試料を分析しなければなりません。
【００６０】
ＧＣ／ＥＣ　ガスクロマトグラフィ（Ｇａｓ Ｃｈｒｏｍａｔｏｇｒａｐｈｙ）／電子捕獲（Ｅｌｅｃｔｒｏｎ Ｃａｐｔｕｒｅ）
【００６１】
ＨＲＧＣ
高分解能ガスクロマトグラフィ（Ｈｉｇｈ Ｒｅｓｏｌｕｔｉｏｎ Ｇａｓ Ｃｈｒｏｍａｔｏｇｒａｐｈｙ）
【００６２】
ＩＣＳ
干渉チェック標準（Ｉｎｔｅｒｆｅｒｅｎｃｅ Ｃｈｅｃｋ Ｓｔａｎｄａｒｄ）
【００６３】
独立標準品
初期較正用の標準品で用いるものとは別のソースに由来する検体からなる、請負業者調製の標準規格溶液。
【００６４】
初期較正
一連の異なる所定濃度用の分析標準品の分析です；分析検出器または方法の線形性及び動的応答範囲を画定するために用います。
【００６５】
器具較正
一連の異なる所定濃度用の分析標準品の分析です；目標検体に対する器具の定量的応答、線形及び動態域を画定するために用います。
【００６６】
器具チェック試料
（無機物分析）干渉とともにバックグラウンド及び成分間補正係数を照合するのに用いることができる既知の濃度の検体成分を有する溶液です。
【００６７】
器具チェック標準
毎日の器具性能を監視・照合するために分析者が調製する既知の濃度の複合成分標準品です。
【００６８】
（結果の処理、無機物）
干渉物（Ｉｎｔｅｒｆｅｒｅｎｔｓ）
対象となる成分の分析に影響を与える物質です
【００６９】
内部標準品
分析に先立ち、すべての標準品、空試料、マトリックススパイク、マトリックススパイクの複製、（ＶＯＡ用）試料及び（半揮発性物質用）試料抽出物に、既知の濃度で添加される化合物のこと。内部標準品は、目的化合物の計量の基礎として用いられます。
【００７０】
実験対照標準試料（ｌａｂｏｒａｔｏｒｙ Ｃｏｎｔｒｏｌ Ｓａｍｐｌｅｓ： ＬＣＳ）
既知の組成を有する対照標準試料です。水性及び固形実験対照標準試料は、受領したＥＰＡ試料用に用いられるのと同じ試料調製、試薬、及び分析方法によって分析されます。
【００７１】
実験対照標準
通常、外部機関により認証された、処理のバイアスを測定するために用いられる標準規格です。特定の構成成分及びマトリックスのために、利用可能であれば、アメリカ国立標準・技術局（Ｎａｔｉｏｎａｌ Ｉｎｓｔｉｔｕｔｅ ｏｆ Ｓｔａｎｄａｒｄｓ ａｎｄ Ｔｅｃｈｎｏｌｏｇｙ： ＮＩＳＴ）標準レフェレンス資料を用います。
【００７２】
線形域、線形動態域
（無機物分析）ＩＣＰ分析曲線が線形をなす濃度範囲のことです。
【００７３】
マトリックススパイク（Ｍａｔｒｉｘ Ｓｐｉｋｅ： ＭＳ）
回復を測定することによりマトリックスの方法の適切さを示すために、既知量の特定化合物を添加（スパイク）して、全分析処理工程にかけた試料（水または土）のアリコートです。
【００７４】
マトリックススパイク複製試料（Ｍａｔｒｉｘ Ｓｐｉｋｅ Ｄｕｐｌｉｃａｔｅ： ＭＳＤ）
方法の正確性を測定するためにスパイク（添加）する前記マトリックススパイクと同様のマトリックスの第二のアリコートです。
【００７５】
方法空試料
全分析処理工程を実行する、すべての試薬、内部標準品及び代用標準品からなる分析対照標準品です。方法空試料は、実験のバックグラウンド及び試薬の汚染のレベルを画定するのに用いられます。
【００７６】
調製空試料（試薬空試料、方法空試料）
すべての分析処理工程（温浸、分析）が実行される蒸留・脱イオン水及び試薬を含む、分析対象標準品です。水マトリックスを有する試料と同じ試薬で、水性方法空試料を処理します。固形方法空試料は、土試料と同じ試薬で処理されます。
【００７７】
品質対照標準参照試料（Ｑｕａｌｉｔｙ Ｃｏｎｔｒｏｌ Ｒｅｆｅｒｅｎｃｅ Ｓａｍｐｌｅ）−較正用に使用されるものとは異なるが較正範囲内の濃度で、独立の標準品から調製される試料のこと。独立の標準品は、標準曲線で用いられる標準品の調製に用いられるのとは異なるソースに由来する目的の検体からなる標準品として定義されます。品質対照標準参照試料は、技法、方法論及び標準品を独立にチェックするものとするよう意図されており、分析バッチ毎または、２０試料毎のうち大きいほうで実行されなければなりません。これは、すべての有機物及び無機物分析に適用可能です。
【００７８】
品質対照標準試料（Ｑｕａｌｉｔｙ Ｃｏｎｔｒｏｌ Ｓａｍｐｌｅ）
較正標準を照合するために用いられる異なる既知の濃度を有する外部ソースから得られる溶液のこと。
【００７９】
確率的誤差
標準的な統計手法によって説明することができる、分析処理の任意の工程における偏差のこと。
【００８０】
（結果の処理、無機物）
試薬空試料
通常、できるだけ検体不要で、試料の処理に使用するのと同じ体積ですべての試薬を含む有機溶液または水溶液のこと。試薬空試料は、完全な試料調製処理にかけなければならず、分析に使用される溶液中の濃度と同じ試薬濃度を最終溶液中に含んでいます。試薬空試料は、試料の調製または処理の結果生ずる可能性のある汚染を補正するために用いられます。ひとつの試薬空試料は、分析バッチ毎もしくは２０試料毎のうち大きいほうで調製されなければなりません。
【００８１】
反復試料
反復試料とは、サンプルを２つ以上の別個のアリコートに分取することによって調製されます。まったく同じ試料が２つの反復実験によって検討されることになります。分取が不可能な場合には、例えば、揮発性物質の場合には、まったく同じ試料が反復分析のために採用されなければなりません。
【００８２】
連続希釈
ファクター（補正係数）５による試料の希釈のこと。希釈ファクターにより補正されると、希釈された試料は元の希釈されていない試料と所定の限界内で一致していなければなりません。連続希釈は干渉物の影響を反映することができます。
【００８３】
目標化合物リスト（Ｔａｒｇｅｔ Ｃｏｍｐｏｕｎｄ Ｌｉｓｔ： ＴＣＬ）
分析のための製品仕様書（Ｓｔａｔｅｍｅｎｔ ｏｆ Ｗｏｒｋ）によって指定される化合物のリストです。
【００８４】
有機組織（全システム）のための結果の処理
−有機物分析検査及び報告システム：揮発性物質
−有機物分析検査及び報告システム：半揮発性物質
−有機物分析検査及び報告システム：殺虫剤
−有機物分析検査及び報告システム：除草剤及び爆薬
【００８５】
棒グラフスペクトル：
（有機物分析）質量−電荷比率（ｍ／ｅ）対イオン電流の相対強度。
【００８６】
バイアス（Ｂｌａｓ）
処理中のシステム上のエラーによる、真値からの測定値の一定の乖離。
【００８７】
空試料（方法空試験）
空試料とは、人工物のプロセスへの導入を監視するよう設計された人工試料です。水性試料用には、空試料マトリックスとして試薬水を用います。一方、固体資料用には、一般的な空試料マトリックスは存在しないが、時に、空試料マトリックスとして汚れていない砂を使用します。プロセスの適当な工程を通じて空試料が採用されます。試薬空試料とは、分析バッチで分析される検体不要の水又は溶媒のアリコートのことをいいます。現場空試料とは、密封した容器にいれて現場に持ち込み、試料容器で研究所に運び回収される検体不要の水又は溶媒のアリコートのことです。トリップ（ｔｒｉｐ）空試料及び装置空試料が、現場空試料の典型的な２つのタイプです。トリップ空試料は現場で開封されることはありません。トリップ空試料は試料の輸送や発送もしくは現場の状態によって生じる試料の汚染のチェックです。装置空試料は、現場で開封され、その中身を試料収集装置に適当に注ぎ、試料容器の中に回収し、試料として研究室に持ち帰ります。装置空試料は、試料装置の清潔さのチェックです。
【００８８】
４−ブロモフルオロベンゼン（４−Ｂｒｏｍｏｆｌｏｕｒｏｂｅｎｚｅｎｅ：ＢＦＢ）
（有機物分析）揮発性物質分析に対する質量スペクトル器具性能を確定するために、選択される化合物です。また、揮発性有機物分析のための代用試料としても使用されます。
【００８９】
較正チェック
器具の検体量への応答率の照合、適当な溶媒中の検体標準品に対する分析をすることによって較正チェックがなされます。較正チェック溶液は標準品の調製に使用される貯蔵液とは異なる貯蔵液から作成されます。
【００９０】
較正チェック標準
定期的な再較正の間の器具の較正の状態を測定するために使用される標準規格品。
【００９１】
較正標準
器具の較正（すなわち、分析曲線の作成）のために分析者が用いる既知の一連の標準液。
【００９２】
ＣＣＣ：
較正チェック化合物（Ｃａｌｉｂｒａｔｉｏｎ Ｃｈｅｃｋ Ｃｏｍｐｏｕｎｄ）
【００９３】
チェック試料
分析方法の実行を監視するために独立ソースからの検体を添加（スパイク）した空試料をチェック試料と呼びます。スパイク（添加）のレベルは、該当する規則がある場合には、規則の実施レベルでなければなりません。規則がなければ、スパイクは、定量化限度の予測値の５倍でなければなりません。使用するマトリックスは、試料と位相整合され、よく特徴づけられていなければならず、例えば、試薬グレードの水が水性試料には適しています。
【００９４】
チェック標準
測定プロセスを評価するために試料と同時に分析される既知の成分を有する物質のこと。分析システムの較正を照合するために分析される分析標準品です。ひとつのチェック標準は、分析バッチないし２０試料のどちらか大きいほう毎に分析されなければなりません。（較正チェック標準及び較正チェックの項参照）
【００９５】
（結果の処理、有機物）
確実性係数
蓋然性、測定結果が、確実な区間または確実な限界値間に収まる百分率。
【００９６】
確実な区間
真値が所定の蓋然性レベルにある可能な値の集合。
【００９７】
確実な限界値
確実な区間を画定する境界値のうちのひとつ。
【００９８】
継続較正
（有機物分析）ＧＳ／ＭＳシステムの較正を照合するための１２時間毎の分析標準の実行。
【００９９】
対照標準限界
適合的であるために所定の測定結果が収まっていなければならない範囲。対照標準限界は、それを超えたら補正措置を要求する強制的なものであってもよく、適合しないデータにフラグを立てることを要求する助言的なものであってもよい。
【０１００】
相関係数
２つの変数（濃度−吸光度）間の依存度を表す数字（ｒ）。依存度が高いほど、値が１に近い。最小の方形線に基づき決定します。
【０１０１】
デカフルオロトリフェニルホスフィン（Ｄｅｃａｆｌｕｏｒｏｔｒｉｐｈｅｎｙｌｐｈｏｓｐｈｉｎｅ： ＤＦＴＰＰ）
（有機物分析）半揮発性物質分析に対する質量スペクトル器具性能を確定するために、選択される化合物。
【０１０２】
複製
方法の正確性を測定するために元の試料と同様に扱われる試料の第２のアリコート。
【０１０３】
複製試料
複製試料とは、同じソースから採取された２つの別個の試料（すなわち、別の容器内で独立に分析される）。
【０１０４】
環境試料
環境試料又は現場試料とは、組成又は汚染の測定が要求ないし必要とされる任意のソースから採集された任意の物質（水性、非水性または複合媒体）の代表試料のことです。環境試料は通常次のように分類されます：
・飲料水−飲料用水として予定された配給（処理または未処理の）水、
・水／廃水−公共の飲料水供給のための生の源水、地下水、地方自治体の流入水／流出水、産業用流入水／流出水、
・汚泥−地方自治体の汚泥及び産業用の汚泥、
・廃棄物−水性及び非水性廃棄物、化学固形物、汚染土壌、及び産業用液状・固体状廃棄物。
【０１０５】
装置空試料
通常、できるだけ検体不要で、現場に搬送され、現場で開封され、試料収集装置に注ぎ、試料容器に回収し、研究所に持ち帰る有機物または水性の溶液のこと。これは、試料採取装置の清潔さをチェックする効果があります。各分析バッチまたは２０試料毎のうちいずれか大きいほうについてひとつの装置空試料を分析しなければなりません。
【０１０６】
ＧＣ／ＥＣ
ガスクロマトグラフィ（Ｇａｓ Ｃｈｒｏｍａｔｏｇｒａｐｈｙ）／電子捕獲（Ｅｌｅｃｔｒｏｎ Ｃａｐｔｕｒｅ）
【０１０７】
（結果の処理、有機物）
ＧＣ／ＭＳ
ガスクロマトグラフィ（Ｇａｓ Ｃｈｒｏｍａｔｏｇｒａｐｈｙ）／質量分析法（Ｍａｓｓ Ｓｐｅｃｔｒｏｍｅｔｒｙ）
【０１０８】
ＨＲＧＣ
高分解能ガスクロマトグラフィ（Ｈｉｇｈ Ｒｅｓｏｌｕｔｉｏｎ Ｇａｓ Ｃｈｒｏｍａｔｏｇｒａｐｈｙ）
【０１０９】
ＨＲＭＳ
高分解能質量分析法（Ｈｉｇｈ Ｒｅｓｏｌｕｔｉｏｎ Ｍａｓｓ Ｓｐｅｃｔｒｏｍｅｔｒｙ）
【０１１０】
ＩＣＳ
干渉チェック標準（Ｉｎｔｅｒｆｅｒｅｎｃｅ Ｃｈｅｃｋ Ｓｔａｎｄａｒｄ）
【０１１１】
独立標準
初期較正用の標準で用いるものとは別のソースに由来する検体からなる、請負業者調製の標準溶液。
【０１１２】
初期較正
一連の異なる所定濃度用の分析標準品の分析；分析検出器または方法の線形性及び動態応答域を画定するために用います。
【０１１３】
器具較正
一連の異なる所定濃度用の分析標準品の分析；目標検体に対する器具の定量的応答、線形性及び動態域を画定するために用います。
【０１１４】
器具チェック試料
（無機物分析）干渉とともに、バックグラウンド及び成分間補正係数を照合するのに用いることができる既知の濃度の検体成分を有する溶液。
【０１１５】
器具チェック標準
毎日の器具性能を監視・照合するために分析者が調製する既知の濃度の複合成分標準品。
【０１１６】
干渉物（Ｉｎｔｅｒｆｅｒｅｎｔｓ）
対象成分の分析に影響を与える物質
【０１１７】
内部標準
分析に先立ち、すべての標準品、空試料、マトリックススパイク、マトリックススパイクの複製、（ＶＯＡ用）試料及び（半揮発性物質用）試料抽出物に、既知の濃度で添加される化合物。内部標準は、目的化合物の計量の基礎として用いられます。
【０１１８】
実験対照標準試料（ｌａｂｏｒａｔｏｒｙ Ｃｏｎｔｒｏｌ Ｓａｍｐｌｅｓ： ＬＣＳ）
既知の組成を有する対照標準試料。水性及び固形実験対照標準試料は、受領したＥＰＡ試料用に用いられるのと同じ試料調製、試薬、及び分析方法によって分析されます。
【０１１９】
実験対照標準
通常、外部機関により認証された、処理のバイアスを測定するために用いられる標準規格。特定の構成成分及びマトリックスのために、利用可能であれば、アメリカ国立標準・技術局（Ｎａｔｉｏｎａｌ Ｉｎｓｔｉｔｕｔｅ ｏｆ Ｓｔａｎｄａｒｄｓ ａｎｄ Ｔｅｃｈｎｏｌｏｇｙ： ＮＩＳＴ）標準レフェレンス資料を用います。
【０１２０】
マトリックススパイク（Ｍａｔｒｉｘ Ｓｐｉｋｅ： ＭＳ）
回復を測定することによりマトリックスの方法の適切さを示すために、既知量の特定化合物を添加（スパイク）して、全分析処理工程にかけた試料（水または土）のアリコート。
【０１２１】
マトリックススパイク複製（Ｍａｔｒｉｘ Ｓｐｉｋｅ Ｄｕｐｌｉｃａｔｅ： ＭＳＤ）
方法の正確性を測定するためにスパイク（添加）する前記マトリックススパイクと同様のマトリックスの第二のアリコート。
【０１２２】
（結果の処理、有機物）
方法空試料
全分析処理工程を実行する、すべての試薬、内部標準及び代用標準からなる分析対照標準。方法空試料は、実験のバックグラウンド及び試薬の汚染のレベルを画定するのに用いられます。
【０１２３】
調製空試料（試薬空試料、方法空試料）
すべての分析処理工程（温浸、分析）が実行される蒸留・脱イオン水及び試薬を含む、分析対象標準です。水マトリックスを有する試料と同じ試薬で、水性方法空試料を処理します。固形方法空試料は、土試料と同じ試薬で処理されます。
【０１２４】
品質対照標準参照試料（Ｑｕａｌｉｔｙ Ｃｏｎｔｒｏｌ Ｒｅｆｅｒｅｎｃｅ Ｓａｍｐｌｅ）
較正用に使用されるものとは異なるが較正範囲内の濃度で、独立の標準品から調製される試料。独立の標準品は、標準試料曲線で用いられる標準品の調製に用いられるのとは異なるソースに由来する目的の検体からなる標準品として定義されます。品質対照標準参照試料は、技法、方法論及び標準を独立にチェックするものとするよう意図されており、分析バッチ毎または、２０試料毎のうち大きいほうで実行されなければなりません。これは、すべての有機物及び無機物分析に適用可能です。
【０１２５】
品質対照標準試料（Ｑｕａｌｉｔｙ Ｃｏｎｔｒｏｌ Ｓａｍｐｌｅ）
較正標準を照合するために用いられる異なる既知の濃度を有する外部ソースから得られる溶液。
【０１２６】
確率的誤差
標準的な統計手法によって説明することができる、分析処理の任意の工程における偏差。
【０１２７】
試薬空試料
通常、できるだけ検体不要で、試料の処理に使用するのと同じ体積ですべての試薬を含む有機溶液または水溶液のこと。試薬空試料は、完全な試料調製処理にかけなければならず、分析に使用される溶液中の濃度と同じ試薬濃度を最終溶液中に含んでいます。試薬空試料は、試料の調製または処理の結果生ずる可能性のある汚染を補正するために用いられます。ひとつの試薬空試料は、分析バッチ毎もしくは２０試料毎のうち大きいほうで調製されなければなりません。
【０１２８】
反復試料
反復試料とは、サンプルを２つ以上の別個のアリコートに分取することによって調製されます。まったく同じ試料が２つの反復実験によって検討されることになります。分取が不可能な場合には、例えば、揮発性物質の場合には、まったく同じ試料が反復分析のために採用されなければなりません。
【０１２９】
代用品
代用品とは、目的の検体と化学組成、抽出及びクロマトグラフィにおいて類似する有機化合物ですが、通常は環境試料中に見いだされることのないものです。このような化合物が、すべての空試料、較正及びチェック標準品、試料（複製、ＱＣ参照試料を含む）及び分析に先立ってスパイク（添加）された試料中に、スパイク（添加）されます。
【０１３０】
代用標準品
方法の全体的な効率が測定できるように、実験室の試料に処理直前に添加される純粋化合物。
【０１３１】
システム監視化合物
（有機物分析）あらゆる空試料、試料、マトリックススパイク、マトリックススパイク複製、及び揮発性物質分析用標準品に添加され、全体パージ及びトラップガスクロマトグラフ−質量分析システムの性能を評価するために使用される化合物。このような化合物は環境媒質中で検出することが期待できない臭素化ないし重水素化された化合物です。
【０１３２】
（結果の処理、有機物）
目標化合物リスト（Ｔａｒｇｅｔ Ｃｏｍｐｏｕｎｄ Ｌｉｓｔ： ＴＣＬ）
分析のための製品仕様書（Ｓｔａｔｅｍｅｎｔ ｏｆ Ｗｏｒｋ）によって指定される化合物のリスト。
【０１３３】
仮に特定された化合物（Ｔｅｎｔａｔｉｖｅｌｙ Ｉｄｅｎｔｉｆｉｅｄ Ｃｏｍｐｏｕｎｄ： ＴＩＣ）
目標化合物、内部標準品、システム監視化合物、または代用品ではない試料中に検出される化合物。３０までの最高値（最近接内部標準品の面積または高さの最高値の１０％以上）を、仮の特定をするための質量分析ライブラリ検索にかけます。
【０１３４】
ＴＩＣ−
仮に特定された化合物
【０１３５】
トリップ空試料
通常、できるだけ検体不要で、現場に搬送され、開封されずに研究所に持ち帰る有機物または水性の溶液。これは、試料の運搬、発送、及び現場の状態をチェックする効果があります。各分析バッチまたは２０試料毎のうちいずれか大きいほうについてひとつのトリップ空試料を分析しなければなりません。
【０１３６】
［［ＥＩＳＣ Ｅｎｖｉｒｏｎｍｅｎｔａｌ Ｉｎｆｏｒｍａｔｉｏｎ Ｓｙｓｔｅｍｓ， Ｃｏｒｐｏｒａｔｉｏｎ］］
＜ＥＩＳＣの金属分析検査及び報告システム＞
金属分析検査及び報告システムの特徴を以下に示します。
【０１３７】
特徴
Ａ．複数の報告フォーマット
・ＣＬＰ
・ＣＬＰ−Ｌｉｋｅ
・ＳＷ８４６
・ＡＦＣＥＥ
・ＩＬＣＯ３．０
・任意の種類のクライアント固有の報告
Ｂ．ＭＡＲＲＳにより生成する追加報告
・器具読取（生）結果報告
・分析実行ログ報告
・水の硬度についての特別臨時報告
・内部標準報告
・例外報告
Ｃ．ユーザ／自己定義報告リスト
Ｄ．ユーザ定義ＱＣ規準
Ｅ．ユーザ定義真値リスト
Ｆ．ユーザ定義計算ストリング
Ｇ．ユーザ定義学術有効数字及び桁数
Ｈ．クオリファイア及び検査メッセージによる検査プロセス自己定義能力
Ｉ．エクセル（Ｅｘｃｅｌ）及びワード（Ｗｏｒｄ）のような種々のソフトウェアシステムへの電子的エクスポート
Ｊ．ユーザ定義可能な方法
Ｋ．ユーザ定義可能な印刷機能
Ｌ．ユーザ定義可能なアップロード
Ｍ．ユーザ定義可能なＬＩＭＳ接続
Ｎ．抽出及び温浸ソフトウェアモジュールへの接続能力
Ｏ．ＥＤＤジェネレータへの接続能力
Ｐ．制御出力のための中央貯蔵所としてのシステムの機能
【０１３８】
［［ＥＩＳＣ Ｅｎｖｉｒｏｎｍｅｎｔａｌ Ｉｎｆｏｒｍａｔｉｏｎ Ｓｙｓｔｅｍｓ， Ｃｏｒｐｏｒａｔｉｏｎ］］
＜ＥＩＳＣの一般化学分析検査及び報告システム＞
ＥＩＳＣの一般化学分析検査及び報告システムのシステム特徴を以下に示します。
【０１３９】
特徴
Ａ．複数の報告フォーマット
・ＣＬＰ
・ＣＬＰ−Ｌｉｋｅ
・ＳＷ８４６
・ＡＦＣＥＥ
・ＩＬＣＯ３．０
・任意の種類のクライアント固有の報告
Ｂ．ＭＡＲＲＳにより生成する追加報告
・器具読取（生）結果報告
・分析実行ログ報告
・水の硬度についての特別臨時報告
・内部標準報告
・例外報告
Ｃ．ユーザ／自己定義報告リスト
Ｄ．ユーザ定義ＱＣ規準
Ｅ．ユーザ定義真値リスト
Ｆ．ユーザ定義計算ストリング
Ｇ．ユーザ定義学術有効数字及び桁数
Ｈ．クオリファイア及び検査メッセージによる検査プロセス自己定義能力
Ｉ．エクセル（Ｅｘｃｅｌ）及びワード（Ｗｏｒｄ）のような種々のソフトウェアシステムへの電子的エクスポート
Ｊ．ユーザ定義可能な方法
Ｋ．ユーザ定義可能な印刷機能
Ｌ．ユーザ定義可能なアップロード
Ｍ．ユーザ定義可能なＬＩＭＳ接続
Ｎ．抽出及び温浸ソフトウェアモジュールへの接続能力
Ｏ．ＥＤＤジェネレータへの接続能力
Ｐ．制御出力のための中央貯蔵所としてのシステムの機能
【０１４０】
［［ＥＩＳＣ Ｅｎｖｉｒｏｎｍｅｎｔａｌ Ｉｎｆｏｒｍａｔｉｏｎ Ｓｙｓｔｅｍｓ， Ｃｏｒｐｏｒａｔｉｏｎ］］
＜ＥＩＳＣの有機物分析検査及び報告システム：揮発性物質＞
ＥＩＳＣの揮発性物質用有機物分析検査及び報告システムのシステム特徴を以下に示します。
【０１４１】
特徴
Ａ．複数の報告フォーマット
・ＣＬＰ
・ＣＬＰ−Ｌｉｋｅ
・ＳＷ８４６
・ＡＦＣＥＥ
・ＩＬＣＯ３．０
・任意の種類のクライアント固有の報告
Ｂ．ＭＡＲＲＳにより生成する追加報告
・器具読取（生）結果報告
・分析実行ログ報告
・水の硬度についての特別臨時報告
・内部標準報告
・例外報告
Ｃ．ユーザ／自己定義報告リスト
Ｄ．ユーザ定義ＱＣ規準
Ｅ．ユーザ定義真値リスト
Ｆ．ユーザ定義計算ストリング
Ｇ．ユーザ定義学術有効数字及び桁数
Ｈ．クオリファイア及び検査メッセージによる検査プロセス自己定義能力
Ｉ．エクセル（Ｅｘｃｅｌ）及びワード（Ｗｏｒｄ）のような種々のソフトウェアシステムへの電子的エクスポート
Ｊ．ユーザ定義可能な方法
Ｋ．ユーザ定義可能な印刷機能
Ｌ．ユーザ定義可能なアップロード
Ｍ．ユーザ定義可能なＬＩＭＳ接続
Ｎ．抽出及び温浸ソフトウェアモジュールへの接続能力
Ｏ．ＥＤＤジェネレータへの接続能力
Ｐ．制御出力のための中央貯蔵所としてのシステムの機能
【０１４２】
［［ＥＩＳＣ Ｅｎｖｉｒｏｎｍｅｎｔａｌ Ｉｎｆｏｒｍａｔｉｏｎ Ｓｙｓｔｅｍｓ， Ｃｏｒｐｏｒａｔｉｏｎ］］
＜ＥＩＳＣの有機物分析検査及び報告システム：半揮発性物質＞
ＥＩＳＣの半揮発性物質用有機物分析検査及び報告システムのシステム特徴を以下に示します。
【０１４３】
特徴
Ａ．複数の報告フォーマット
・ＣＬＰ
・ＣＬＰ−Ｌｉｋｅ
・ＳＷ８４６
・ＡＦＣＥＥ
・ＩＬＣＯ３．０
・任意の種類のクライアント固有の報告
Ｂ．ＭＡＲＲＳにより生成する追加報告
・器具読取（生）結果報告
・分析実行ログ報告
・水の硬度についての特別臨時報告
・内部標準報告
・例外報告
Ｃ．ユーザ／自己定義報告リスト
Ｄ．ユーザ定義ＱＣ規準
Ｅ．ユーザ定義真値リスト
Ｆ．ユーザ定義計算ストリング
Ｇ．ユーザ定義学術有効数字及び桁数
Ｈ．クオリファイア及び検査メッセージによる検査プロセス自己定義能力
Ｉ．エクセル（Ｅｘｃｅｌ）及びワード（Ｗｏｒｄ）のような種々のソフトウェアシステムへの電子的エクスポート
Ｊ．ユーザ定義可能な方法
Ｋ．ユーザ定義可能な印刷機能
Ｌ．ユーザ定義可能なアップロード
Ｍ．ユーザ定義可能なＬＩＭＳ接続
Ｎ．抽出及び温浸ソフトウェアモジュールへの接続能力
Ｏ．ＥＤＤジェネレータへの接続能力
Ｐ．制御出力のための中央貯蔵所としてのシステムの機能
【０１４４】
［［ＥＩＳＣ Ｅｎｖｉｒｏｎｍｅｎｔａｌ Ｉｎｆｏｒｍａｔｉｏｎ Ｓｙｓｔｅｍｓ， Ｃｏｒｐｏｒａｔｉｏｎ］］
＜ＥＩＳＣの有機物分析検査及び報告システム：殺虫剤＞
ＥＩＳＣの殺虫剤用有機物分析検査及び報告システムのシステム特徴を以下に示します。
【０１４５】
特徴
Ａ．複数の報告フォーマット
・ＣＬＰ
・ＣＬＰ−Ｌｉｋｅ
・ＳＷ８４６
・ＡＦＣＥＥ
・ＩＬＣＯ３．０
・任意の種類のクライアント固有の報告
Ｂ．ＭＡＲＲＳにより生成する追加報告
・器具読取（生）結果報告
・分析実行ログ報告
・水の硬度についての特別臨時報告
・内部標準報告
・例外報告
Ｃ．ユーザ／自己定義報告リスト
Ｄ．ユーザ定義ＱＣ規準
Ｅ．ユーザ定義真値リスト
Ｆ．ユーザ定義計算ストリング
Ｇ．ユーザ定義学術有効数字及び桁数
Ｈ．クオリファイア及び検査メッセージによる検査プロセス自己定義能力
Ｉ．エクセル（Ｅｘｃｅｌ）及びワード（Ｗｏｒｄ）のような種々のソフトウェアシステムへの電子的エクスポート
Ｊ．ユーザ定義可能な方法
Ｋ．ユーザ定義可能な印刷機能
Ｌ．ユーザ定義可能なアップロード
Ｍ．ユーザ定義可能なＬＩＭＳ接続
Ｎ．抽出及び温浸ソフトウェアモジュールへの接続能力
Ｏ．ＥＤＤジェネレータへの接続能力
Ｐ．制御出力のための中央貯蔵所としてのシステムの機能
【０１４６】
［［ＥＩＳＣ Ｅｎｖｉｒｏｎｍｅｎｔａｌ Ｉｎｆｏｒｍａｔｉｏｎ Ｓｙｓｔｅｍｓ， Ｃｏｒｐｏｒａｔｉｏｎ］］
＜ＥＩＳＣの有機物分析検査及び報告システム：爆薬＞
ＥＩＳＣの爆薬用有機物分析検査及び報告システムのシステム特徴を以下に示します。
【０１４７】
特徴
Ａ．複数の報告フォーマット
・ＣＬＰ
・ＣＬＰ−Ｌｉｋｅ
・ＳＷ８４６
・ＡＦＣＥＥ
・ＩＬＣＯ３．０
・任意の種類のクライアント固有の報告
Ｂ．ＭＡＲＲＳにより生成する追加報告
・器具読取（生）結果報告
・分析実行ログ報告
・水の硬度についての特別臨時報告
・内部標準報告
・例外報告
Ｃ．ユーザ／自己定義報告リスト
Ｄ．ユーザ定義ＱＣ規準
Ｅ．ユーザ定義真値リスト
Ｆ．ユーザ定義計算ストリング
Ｇ．ユーザ定義学術有効数字及び桁数
Ｈ．クオリファイア及び検査メッセージによる検査プロセス自己定義能力
Ｉ．エクセル（Ｅｘｃｅｌ）及びワード（Ｗｏｒｄ）のような種々のソフトウェアシステムへの電子的エクスポート
Ｊ．ユーザ定義可能な方法
Ｋ．ユーザ定義可能な印刷機能
Ｌ．ユーザ定義可能なアップロード
Ｍ．ユーザ定義可能なＬＩＭＳ接続
Ｎ．抽出及び温浸ソフトウェアモジュールへの接続能力
Ｏ．ＥＤＤジェネレータへの接続能力
Ｐ．制御出力のための中央貯蔵所としてのシステムの機能
【０１４８】
［［ＥＩＳＣ Ｅｎｖｉｒｏｎｍｅｎｔａｌ Ｉｎｆｏｒｍａｔｉｏｎ Ｓｙｓｔｅｍｓ， Ｃｏｒｐｏｒａｔｉｏｎ］］
2004507749.tif 000010
【０１４９】
［［ＥＩＳＣ Ｅｎｖｉｒｏｎｍｅｎｔａｌ Ｉｎｆｏｒｍａｔｉｏｎ Ｓｙｓｔｅｍｓ， Ｃｏｒｐｏｒａｔｉｏｎ］］
2004507749.tif 000011
【０１５０】
［［ＥＩＳＣ Ｅｎｖｉｒｏｎｍｅｎｔａｌ Ｉｎｆｏｒｍａｔｉｏｎ Ｓｙｓｔｅｍｓ， Ｃｏｒｐｏｒａｔｉｏｎ］］
頭字語と略語のリスト
ＡＡ　　　　　原子吸収（Ａｔｏｍｉｃ Ａｂｓｏｒｐｔｉｏｎ）
ＡＢＳ　　　　吸光度（Ａｂｓｏｒｂａｎｃｅ）
ＣＬＰ　　　　契約実験プログラム（Ｃｏｎｔｒａｃｔ Ｌａｂｏｒａｔｏｒｙ Ｐｒｏｇｒａｍ）
ＣＣＶ　　　　継続較正照合（Ｃｏｎｔｉｎｕｉｎｇ Ｃａｌｉｂｒａｔｉｏｎ Ｖｅｒｉｆｉｃａｔｉｏｎ）
ＣＣＢ　　　　継続較正空試料（Ｃｏｎｔｉｎｕｉｎｇ Ｃａｌｉｂｒａｔｉｏｎ Ｂｌａｎｋ）
ＥＰＡ　　　　環境保護局（Ｅｎｖｉｒｏｎｍｅｎｔａｌ Ｐｒｏｔｅｃｔｉｏｎ Ａｇｅｎｃｙ）
ＧＦＡＡ　　　黒鉛炉原子吸光（Ｇｒａｐｈｉｔｅ Ｆｕｒｎａｃｅ Ａｔｏｍｉｃ Ａｂｓｏｒｐｔｉｏｎ）
ＩＣＰ　　　　誘導結合プラズマ（Ｉｎｄｕｃｔｉｖｅｌｙ Ｃｏｕｐｌｅｄ Ｐｌａｓｍａ）
ＩＣＰ−ＭＳ　誘導結合高周波プラズマ−質量分光法（Ｉｎｄｕｃｔｉｖｅｌｙ Ｃｏｕｐｌｅｄ Ｐｌａｓｍａ−ｍａｓｓ ｓｐｅｃｔｒｏｓｃｏｐｙ）
ＩＣＶ　　　　初期較正照合（Ｉｎｉｔｉａｌ Ｃａｌｉｂｒａｔｉｏｎ Ｖｅｒｉｆｉｃａｔｉｏｎ）
ＩＣＢ　　　　初期較正空試料（Ｉｎｉｔｉａｌ Ｃａｌｉｂｒａｔｉｏｎ Ｂｌａｎｋ）
ＩＣＳ　　　　干渉チェック標準（Ｉｎｔｅｒｆｅｒｅｎｃｅ Ｃｈｅｃｋ Ｓｔａｎｄａｒｄ）
ＩＤＬ　　　　器具検出限界値（Ｉｎｓｔｒｕｍｅｎｔ Ｄｅｔｅｃｔｉｏｎ Ｌｉｍｉｔ）
ＩＤ　　　　　アイデンティフィケーション（Ｉｄｅｎｔｉｆｉｃａｔｉｏｎ）
ＩＳ　　　　　内部標準（Ｉｎｔｅｒｎａｌ Ｓｔａｎｄａｒｄ）
ＬＤＲ　　　　線形動態域（Ｌｉｎｅａｒ Ｄｙｎａｍｉｃ Ｒａｎｇｅ）
ＬＣＳ　　　　実験室対照標準試料（Ｌａｂｏｒａｔｏｒｙ Ｃｏｎｔｒｏｌ Ｓａｍｐｌｅ）
ＭＤＬ　　　　方法検出限界値（Ｍｅｔｈｏｄ Ｄｅｔｅｃｔｉｏｎ Ｌｉｍｉｔ）
ＭＳ　　　　　マトリックススパイク（添加物）（Ｍａｔｒｉｘ Ｓｐｉｋｅ）
ＭＳＤ　　　　マトリックススパイク複製（Ｍａｔｒｉｘ Ｓｐｉｋｅ Ｄｕｐｌｉｃａｔｅ）
ｐｐｂ　　　　１０億分の１単位（ｐａｒｔｓ ｐｅｒ ｂｉｌｌｉｏｎ）
ｐｐｍ　　　　１００万分の１単位（ｐａｒｔｓ ｐｅｒ ｍｉｌｌｉｏｎ）
ＰＱＬ　　　　実用定量限界（Ｐｒａｃｔｉｃａｌ Ｑｕａｎｔｉｔａｔｉｏｎ Ｌｉｍｉｔ）
ＱＡ　　　　　品質保証（Ｑｕａｌｉｔｙ Ａｓｓｕｒａｎｃｅ）
ＱＣ　　　　　品質対照標準（Ｑｕａｌｉｔｙ Ｃｏｎｔｒｏｌ）
Ｒ　　　　　　回復（Ｒｅｃｏｖｅｒｙ）
ＲＤＬ　　　　報告検出限界値（Ｒｅｐｏｒｔｉｎｇ Ｄｅｔｅｃｔｉｏｎ Ｌｉｍｉｔ）
ＲＰＤ　　　　相対百分率差分（Ｒｅｌａｔｉｖｅ Ｐｅｒｃｅｎｔ Ｄｉｆｆｅｒｅｎｃｅ）
ＳＤＧ　　　　試料配送グループ（Ｓａｍｐｌｅ Ｄｅｌｉｖｅｒｙ Ｇｒｏｕｐ）
ＳＯＷ　　　　製品仕様書（Ｓｔａｔｅｍｅｎｔ ｏｆ Ｗｏｒｋ）
ＳＴＬＣ　　　可溶限界閾値（Ｓｏｌｕｂｌｅ Ｔｈｒｅｓｈｏｌｄ Ｌｉｍｉｔ Ｃｏｎｃｅｎｔｒａｔｉｏｎ）
ＴＣＬＰ　　　有毒特性浸出処理（Ｔｏｘｉｃｉｔｙ Ｃｈａｒａｃｔｅｒｉｓｔｉｃ Ｌｅａｃｈｉｎｇ）
ＴＶ　　　　　真値（Ｔｒｕｅ Ｖａｌｕｅ）
【０１５１】
［ＭＡＲＲＳ自己実装（セルフインプリメント）仕様書］
【０１５２】
2004507749.tif 000012
【０１５３】
2004507749.tif 000013
【０１５４】
＜ＭＡＲＲＳセルフインプリメンタ仕様書＞
定義を要する項目
１　研究所名及び研究所名略称
２　一般情報
器具カテゴリ毎の器具の数
キーコード
報告モジュールの選択
マトリックスの選択
ディレクトリパスの入力
３　器具
器具情報入力
初期及び最終体積の入力
検体リストの編集
標準報告リストの入力
報告リストのコピー
標準ＱＣ規準リストの入力
ＱＣ規準リストのコピー
標準真値リストの入力
真値リストのコピー
４　追加器具情報
ＩＥＣの入力（ＩＣＰ用のみ）
試料ネーミング変換の編集
【０１５５】
重要な項目
セルフインプリメンタは、インストールされてユーザをストーリーブックの中で案内します。
クライアントのプロファイル（報告）を保存します
デフォルトのプロファイルを追加します
【０１５６】
自己実装へのステップ
１．ユーザが、セルフインプリメンタＣＤ及び、セルフインプリメンタと、異なるオプションつきのセルフインプリメンタ上の可能なＢｏｏｋと、組み込み済みの時間割り込み抑制と、及びインストールカウンタをインストールする説明書を、受領します。
【０１５７】
２．ユーザが、セルフインプリメンタをインストールします
【０１５８】
３．ユーザが、セルフインプリメンタを開始します
【０１５９】
４．質問グループ第１−報告書にあなたの研究所名をどのように表示し、どのような研究所コードを使用しますか？
【０１６０】
【表８】
2004507749.tif 000014
【０１６１】
５．質問グループ第２−一般情報−器具カテゴリごとに器具の数を入力してください？
【０１６２】
【表９】
2004507749.tif 000015
【０１６３】
６．質問グループ第２−ＣＤケース上に表示のキーコードを入力。これによって、クライアントが選択可能な報告モジュールの数、システムが機能しなくなる（支払いがあったときにシステムを今後機能停止しないように立ち上げるキーコードを送付します）、及び許可されたインストールの数を決定します。
【０１６４】
７．質問グループ第２−ＭＡＲＲＳ内に含める報告モジュールを選択。（２つは必須）
【０１６５】
【表１０】
2004507749.tif 000016
【０１６６】
８．質問グループ第３−ＭＡＲＲＳ内で実行するマトリックスを選択。
【０１６７】
【表１１】
2004507749.tif 000017
【０１６８】
９．質問グループ第２−ファイルを保存ないし配置するディレクトリパスを入力（器具ファイルのディレクトリパスは後で指定）
【０１６９】
【表１２】
2004507749.tif 000018
【０１７０】
１０．質問グループ第３−質問グループで選択した器具の数に基づき、この画面では次のようなグリッド形式の表示がされなければなりません。
【０１７１】
【表１３】
2004507749.tif 000019
【０１７２】
【表１４】
2004507749.tif 000020
【０１７３】
【表１５】
2004507749.tif 000021
【０１７４】
１１．質問グループ第３−ユーザが選択したマトリックスと器具に基づき、次のような内容のグリッドが表示されなければなりません：
【０１７５】
【表１６】
2004507749.tif 000022
【０１７６】
１２．質問グループ第３−器具との対応が正確に取れている必要のある器具−成分のユーザ選択から、基本検体リストを持ってきます。
【０１７７】
【表１７】
2004507749.tif 000023
【０１７８】
【表１８】
2004507749.tif 000024
【０１７９】
１３．質問グループ第４−標準報告リストを作成するために、次の情報を入力してください。このリストの作成直後に、他の報告リストの作成のためにこのリストをコピーするかを質問されます。前記質問からの要素はこのリストのために使用されます。
報告リストの名称を入力してください：
次のリスト中にＲＤＬ値及び他の関連情報を入力してください：
次の情報を、分割画面グリッドで提示。
【０１８０】
【表１９】
2004507749.tif 000025
【０１８１】
【表２０】
2004507749.tif 000026
【０１８２】
１４．質問グループ第４−さらに報告リストを作成しますか。標準報告リストのときの要領で、報告リストのコピーまたは作成が可能です。
【０１８３】
１５．質問グループ第４−標準ＱＣ規準リストを作成するために次の情報を入力してください。このリストの作成直後に別のＱＣ規準リストを作成するためにこのリストをコピーするかを質問されます。
ＱＣ規準リストに対する名称を入力してください：
次のリスト中に、ＱＣ規準値を入力してください：
次の情報を、分割画面グリッドで提示。
【０１８４】
【表２１】
2004507749.tif 000027
【０１８５】
【表２２】
2004507749.tif 000028
【０１８６】
【表２３】
2004507749.tif 000029
【０１８７】
【表２４】
2004507749.tif 000030
【０１８８】
１５．質問グループ第４−さらにＱＣ規準リストを作成しますか。標準ＱＣ規準リストのときの要領で、ＱＣ規準リストのコピーまたは作成が可能です。
【０１８９】
１６．質問グループ第４−標準真値リストを作成するために次の情報を入力してください。このリストの作成直後に、別の真値リストを作成するためにこのリストをコピーするかを質問されます。
真値リストに対する名称を入力してください：
リストのＩＤＬ日を入力してください：
リストのＬＤＲ日を入力してください。：
リストのＩＣＡＬソースを入力してください：
リストのＣＣＡＬソースを入力してください：
リストのＩＣＳソースを入力してください：
リストのＣＲＤＬソースを入力してください：
リストのＬＣＳ固体ソースを入力してください：
リストのＬＣＳ液体ソースを入力してください：
次のリストに真値の値を入力してください：
次の情報を、分割画面グリッドで表示。
【０１９０】
【表２５】
2004507749.tif 000031
【０１９１】
【表２６】
2004507749.tif 000032
【０１９２】
１６．質問グループ第４−さらに真値リストを作成しますか。標準真値リストのときの要領で、真値リストのコピーまたは作成が可能です。
【０１９３】
１７．質問グループ第４−ＩＥＣデータを入力し、ＩＥＣテーブルの一番上の欄に記入する成分を選択してください。
ＩＥＣの行に検体を表示させたい場合には、波長を入力してください。詳細は添付書類をご参照ください。
【０１９４】
１８．質問グループ第４−特定のＱＣタイプに変換する器具からの試料のネーミング変換のデフォルトのリストを以下に示す。適宜文字列を変更してください。
【０１９５】
【表２７】
2004507749.tif 000033
【０１９６】
各器具毎にグループ３及び４を繰り返す。
ユーザ質問セットアップから外れているが、テーブルの生成中にセットされる項目を以下に示す：
追加臨時実験報告書
有効数字のリスト（Ｓｉｇ Ｆｉｇ Ｌｉｓｔｓ）
他のフラグ規準
【０１９７】
次週に仕様書を書くことによって指定される項目を次に示します：
システムスイッチ
アップロード
ＬＩＭＳ接続（予備）
ＬＩＭＳ接続（マニュアル）
【０１９８】
2004507749.tif 000034
【０１９９】
2004507749.tif 000035
【０２００】
［［ＥＩＳＣ Ｅｎｖｉｒｏｎｍｅｎｔａｌ Ｉｎｆｏｒｍａｔｉｏｎ Ｓｙｓｔｅｍｓ， Ｃｏｒｐｏｒａｔｉｏｎ］］
＜金属分析検査及び報告システム−操作手順　Ｖｅｒｓｉｏｎ ４．０＞
［分析結果アップロード及び検査］
【０２０１】
2004507749.tif 000036
【０２０２】
［Ａｎａｌｙｔｉｃａｌ Ｍｅｔｈｏｄ ｌｉｓｔ］（分析方法リスト）から、方法を選択します。次に、［Ａｎａｌｙｔｉｃａｌ］（分析）、それから［Ｒｅｓｕｌｔ Ｕｐｌｏａｄ ａｎｄ Ｒｅｖｉｅｗ］（結果アップロード及び検査）をクリックします。［Ｍａｎｕａｌ Ｅｎｔｒｙ ａｎｄ Ｒｅｖｉｅｗ］（マニュアル入力及び検査）のみが表示されている場合は、アップロードファイルが利用可能でないか、このシステムのために設定されていない方法を選択しています。［Ｒｅｓｕｌｔ Ｕｐｌｏａｄ ａｎｄ Ｒｅｖｉｅｗ］（結果アップロード及び検査）をクリックすると、［Ｓｅｌｅｃｔ Ｉｎｓｔｒｕｍｅｎｔ Ｆｉｌｅｓ］（器具ファイル選択）、［Ｂｅｇｉｎ Ｕｐｌｏａｄ］（アップロード開始）、［Ａｓｓｏｃｉａｔｅ Ｌｉｓｔｓ］（リスト関連付け）、［Ｐｒｏｃｅｓｓ Ｒｅｓｕｌｔｓ］（結果処理）、及び［Ｒｅｖｉｅｗ Ｒｅｓｕｌｔｓ］（結果検査）の５つのフォルダが提示されます。これらの５つのフォルダは、本システムの、［Ａｎａｌｙｔｉｃａｌ Ｒｅｓｕｌｔ Ｕｐｌｏａｄ ａｎｄ Ｒｅｖｉｅｗ］（分析結果アップロード及び検査）部を構成しています。ファイルをアップロードし、適切なＱＣ及び報告リストを割り当て、処理して、結果を検査するのは、この分析結果アップロード及び検査部です。
【０２０３】
2004507749.tif 000037
【０２０４】
１．分析実行及び／又はＳＤＧを構築するために行うプロセスは左から右に流れ、［Ｓｅｌｅｃｔ Ｉｎｓｔｒｕｍｅｎｔ Ｆｉｌｅｓ］（器具ファイル選択）フォルダから開始します。この画面から、ネットワーク中のフォルダが配置されているパス（デフォルトのパスは、個々の器具毎に設定される）を選択し、すぐ右側の欄から器具ファイルを選択します。ｓｈｉｆｔキー（キーボード）を使って、連続する複数ファイルを選択することも、Ｃｔｒｌキーを押しながら個別に選択することもできます。アップロードするファイルを選択したら、「→」をクリックし、［Ｓｅｌｅｃｔｅｄ Ｉｎｓｔｒｕｍｅｎｔ（ｓ）］（器具選択）欄に移行します。「←」をクリックすることにより、ファイル選択解除することができます。
【０２０５】
2004507749.tif 000038
【０２０６】
２．器具ファイルを選択すると、［Ｂｅｇｉｎ Ｕｐｌｏａｄ］（アップロード開始）フォルダに進みます。次に、画面の下部に位置する［Ｂｅｇｉｎ Ｕｐｌｏａｄ］（アップロード開始）ボタンをクリックし、器具ファイルをアップロードされるのが見てとれます。このフォルダには他に［Ｐｒｉｎｔ Ｒａｗ Ｒｅｓｕｌｔｓ Ｒｅｐｏｒｔ］（生の結果報告）［Ｐｒｉｎｔ Ｒｕｎｌｏｇ Ｒｅｐｏｒｔ］（実行ログ報告印刷）という２つのオプションがあります。生の結果報告とは、器具ファイルからアップロードされたデータとしての、試料ＩＤ、パラメタ、結果、分析日及び時間、希釈係数及びデータファイルの抄録です。実行ログ報告とは、ファイル中に分析順に格納された試料に、分析日／時間、希釈係数、マトリックス、データファイル及びバッチ番号を付記したリストです。これは、印刷出力及び／又は画面上で検査が可能であり、手書きの実行ログに代わりしばしば使用されます。
【０２０７】
2004507749.tif 000039
【０２０８】
３．ファイルをアップロードし、必要な報告を印刷したら、次に［Ａｓｓｏｃｉａｔｅ Ｌｉｓｔｓ］（リスト関連付け）フォルダに進みます。ここで、報告リスト、ＱＣ規準リスト、真値リスト、検査及びクオリファイアリスト、計算プロセスリスト、有効数字／桁数リスト及び印刷セットアップリストであって、処理した試料と関連付けたいものを選択します。リスト関連付けを始める前に、フォルダを参照してみましょう。フォルダの中には、試料ＩＤ（Ｓａｍｐｌｅ ＩＤ）、クライアントＩＤ（Ｃｌｉｅｎｔ ＩＤ）、分析日（Ａｎａ ｄａｔａ）、時間（Ｔｉｍｅ）、マトリックス（Ｍａｔｒｉｘ）、初期値（Ｉｎｉｔｉａｌ）、最終値（Ｆｉｎａｌ）、固体％（％ Ｓｏｌｉｄ）、Ｚ−フラグ（Ｚ−ｆｌａｇ）及び現在試料に関連付けられているデフォルトリストのヘッダを有する欄が見えます。画面の下部には、［Ｒｅｐｏｒｔｉｎｇ Ｌｉｓｔ］（報告リスト）、［ＱＣ Ｃｒｉｔｅｒｉａ Ｌｉｓｔ］（ＱＣ規準リスト）及び［Ｔｒｕｅ Ｖａｌｕｅ Ｌｉｓｔ］（真値リスト）のヘッダを有する３つのウィンドウが見えます。
【０２０９】
現在のリストのいずれかを変更するためには、マウスでそれをハイライトして、下のＲｅｓｅｔボタンをクリックしてください。欄に変更が反映します。（各リストにどのようなフィールドがあるか見るには、１４頁から始まるリストの詳細Ｌｉｓｔｓ Ｄｅｔａｉｌｓを参照）
【０２１０】
これらのリストの編集、新規作成、試料レベルでのリストの割り当てを行うためには、このフォルダの下部左側の角にある適当なリストをクリックしてください。既存のリストを編集するためには、左側のウィンドウの選択したリストをハイライトしてから、必要な調整を行います（すべての編集は恒久的なものであることに留意ください）。新規リスト作成のためには、単純に、［Ａｄｄ Ｎｅｗ Ｌｉｓｔ Ｓｅｔ］（新規リストセット追加）をクリックし、名称を入力し、既存リストの中からコピーするものを選択し、［Ｃｏｐｙ Ｌｉｓｔ］（リストコピー）をクリックして、［Ｒｅｔｕｒｎ ｔｏ Ｌｉｓｔ Ｒｅｖｉｅｗ］（リスト検査に戻る）をクリックします。該当するリストを編集する前にハイライトして、変更しようとしているのが正しいリストであることを忘れずに確認してください。試料レベルでリストを選択するためには、単純に、［Ｓｅｌｅｃｔ Ｌｉｓｔ ａｔ ａ Ｓａｍｐｌｅ Ｌｅｖｅｌ］（試料レベルでリスト選択）をクリックし、リストを選択し、該当する試料をハイライトして、［Ｓｅｔ Ｌｉｓｔ］（リストをセット）をクリックします。完了したら、前の画面に戻って、再びメインフォルダに戻ります。
【０２１１】
［Ａｓｓｏｃｉａｔｅ Ｌｉｓｔｓ］（リスト関連付け）フォルダにいる間に、マトリックスの選択、試料のＺｏｕｔ、実行用試料選択／解除、初期重量／最終体積の設定、バッチ試料、クライアントの情報取得、丸めタイプの選択（ＣＬＰ奇数／偶数または数理数）、及び報告下限値（ＭＤＬ／ＩＤＬ）の選択も可能です。
【０２１２】
４．自分で選択したリストに満足であれば、［Ｐｒｏｃｅｓｓ Ｒｅｓｕｌｔｓ］（結果処理）フォルダに進みます。［Ｐｒｏｃｅｓｓ Ｒｅｓｕｌｔｓ］（結果処理）をクリックすることによって、選択したリストを初期アップロード済みの器具ファイルに適用するためにシステムをスタートさせます。［Ｂｕｉｌｄ Ｒｅｖｉｅｗ Ｔａｂｌｅｓ］（検査テーブル構築）では、フォームを検査するために必要なテーブルを構築します。
【０２１３】
2004507749.tif 000040
【０２１４】
５．結果の処理が無事に終了したら、［Ｒｅｖｉｅｗ Ｒｅｓｕｌｔｓ］（結果検査）フォルダの結果を検査することになります。ここでは、分析実行を報告部のファイルに保存する前に予備検査を行うことができます。すべての結果を検査することもできます。ＱＣ試料を検査するよう選択すると、関連試料情報があらわれます。しかし、変更を行ったら、忘れずに下部右手角にある［Ｒｅ−Ｃａｌｃ］（再計算）ボタンをクリックして変更を反映させてください。
【０２１５】
結果が満足のいくものであったら、［Ｓａｖｅ Ａｎａｌｙｔｉｃａｌ Ｒｕｎ］（分析実行保存）をクリックすることで分析実行へ処理したファイルを保存することができます。ひとつ重要な事項として留意いただきたいのは、フォルダ右から左へ進むからといって誤りがあっても戻れないということを意味するわけではないということです。もっとも、実際に戻った場合にはもう一度適切なステップを繰り返して行った変更が反映されているか確かめなければなりません。
【０２１６】
分析検査報告は、このフォルダから印刷可能です。この報告には、試料ＩＤ、パラメタ、希釈係数、合否（ＰＡＳＳ／ＦＡＩＬ）、生の結果、マトリックス、回復、ＱＣ規準、ＲＰＤ、分析データ、単位、初期及び最終体積を含みます。
【０２１７】
2004507749.tif 000041
【０２１８】
［マニュアル入力及び検査］
【０２１９】
2004507749.tif 000042
【０２２０】
器具のアップロード用に設定されているわけではない［Ａｎａｌｙｔｉｃａｌ Ｍｅｔｈｏｄ Ｌｉｓｔ］（分析方法リスト）から方法を選択する際に、「マニュアル入力及び検査部」を通じてＳＤＧを作成する必要があります。このプロセスを実行するためには、方法を選択し、［Ａｎａｌｙｔｉｃａｌ］（分析）をクリックしてから、［Ｍａｎｕａｌ Ｅｎｔｒｙ ａｎｄ Ｒｅｖｉｅｗ］（マニュアル入力及び検査）をクリックします。「分析結果アップロード及び検査部」の場合と同様、このセクションも、［Ｂｕｉｌｄ Ａｎａｌｙｔｉｃａｌ Ｒｕｎ］（分析処理構築）、［Ｅｎｔｅｒ Ｃｏｎｃｅｎｔｒａｔｉｏｎｓ］（濃度入力）、［Ａｓｓｏｃｉａｔｅ Ｌｉｓｔｓ］（リスト関連付け）、［Ｐｒｏｃｅｓｓ Ｒｅｓｕｌｔｓ］（結果の処理）、及び［Ｒｅｖｉｅｗ Ｒｅｓｕｌｔｓ］（結果の検査）の５つのフォルダからなっています。
【０２２１】
2004507749.tif 000043
【０２２２】
１．最初のフォルダである［Ｂｕｉｌｄ Ａｎａｌｙｔｉｃａｌ Ｒｕｎ］（分析処理構築）では、ＬＩＭＳから必要な資料を検索し、適当な情報を入力して、試料を分析する順序で分析処理を構築します。分析する試料を時間または処理順のどちらでリストアップするか、処理における試料の総数、日付、開始時間、試料間の時間間隔（秒で）、演算子初期値、及び処理番号を選択します。そして、ＱＣタイプ及び試料ＩＤをクリックすることによって処理構築が可能となります。処理を構築したら、［Ｃｏｍｍｉｔ Ｒｕｎ ｆｏｒ Ｅｎｔｒｙ］（登録処理実行）をクリックします。
【０２２３】
２．次のフォルダである［Ｅｎｔｅｒ Ｃｏｎｃｅｎｔｒａｔｉｏｎｓ］（濃度入力）では、各試料の濃度を登録します。選択された画面上で必要なデータを入力したら、［Ｌｏａｄｉｎｇ Ｍａｎｕａｌ Ｅｎｔｒｙ］（マニュアル登録ロード）をクリックして結果をロードします。
【０２２４】
2004507749.tif 000044
【０２２５】
３．結果のロードが成功したら、［Ａｓｓｏｃｉａｔｅ Ｌｉｓｔｓ］（リスト関連付け）フォルダに進みます。以降の３つのフォルダは、結果のロード時と同様の機能を有するものです。ここでは、処理される試料と関連付けようとする、報告リスト、ＱＣ規準リスト、真値リスト、報告及びクオリファイアリスト、計算プロセスリスト、有効数字／桁数リスト、及び印刷セットアップリストを選択します。リストの関連付けを始める前に、フォルダを見てみましょう。フォルダ中には、「試料ＩＤ」「クライアントＩＤ」「分析データ」「時間」「希釈」「マトリックス」「初期」「最終」「％固体」「Ｚフラグ」といったヘッダのついた欄及び現在試料と関連付けようとしているデフォルトのリストが見えます。画面の下部には、［Ｒｅｐｏｒｔｉｎｇ Ｌｉｓｔ］（報告リスト）［ＱＣ Ｃｒｉｔｅｒｉａ Ｌｉｓｔ］（ＱＣ規準リスト）及び［Ｔｒｕｅ Ｖａｌｕｅ Ｌｉｓｔ］（真値リスト）というヘッダのついた３つのウィンドウが見えます。現在のリストのうちどれかを変更するためには、マウスでそれをハイライトして下のＲｅｓｅｔボタンをクリックします。欄は、変更を反映するようになります。
【０２２６】
2004507749.tif 000045
【０２２７】
このリストの編集、新規作成、試料レベルでのリストの割り当てを行うためには、このフォルダの下部左側の角にある適当なリストをクリックしてください。既存のリストを編集するためには、左側のウィンドウの選択したリストをハイライトしてから、必要な調整を行います（すべての編集は恒久的なものであることに留意ください）。新規リスト作成のためには、単純に、［Ａｄｄ Ｎｅｗ Ｌｉｓｔ Ｓｅｔ］（新規リストセット追加）をクリックし、名称を入力し、既存リストの中からコピーするものを選択し、［Ｃｏｐｙ Ｌｉｓｔ］（リストをコピー）をクリックして、［Ｒｅｔｕｒｎ ｔｏ Ｌｉｓｔ Ｒｅｖｉｅｗ］（リスト検査に戻る）をクリックします。該当するリストを編集する前にハイライトして、変更しようとしているのが正しいリストであることを忘れずに確認してください。試料レベルでリストを選択するためには、単純に、［Ｓｅｌｅｃｔ Ｌｉｓｔ ａｔ ａ Ｓａｍｐｌｅ Ｌｅｖｅｌ］（試料レベルでリストを選択）をクリックし、リストを選択し、該当する試料をハイライトして、［Ｓｅｔ Ｌｉｓｔ］（リストをセット）をクリックします。完了したら、前の画面に戻って、再びメインフォルダに戻ります。
【０２２８】
［Ａｓｓｏｃｉａｔｅ Ｌｉｓｔｓ］（リスト関連付け）フォルダにいる間に、「マトリックスの選択」、「試料のＺｏｕｔ」、「実行用試料選択／解除」、「初期重量／最終体積の設定」、「バッチ試料」、「クライアントの情報取得」、「丸めタイプの選択（ＣＬＰ奇数／偶数または数理数）」、及び「報告下限値（ＭＤＬ／ＩＤＬ）」の選択も可能です。
【０２２９】
2004507749.tif 000046
【０２３０】
４．自分で選択したリストに満足であれば、［Ｐｒｏｃｅｓｓ Ｒｅｓｕｌｔｓ］（結果処理）フォルダに進みます。［Ｐｒｏｃｅｓｓ Ｒｅｓｕｌｔｓ］（結果処理）をクリックすることによって、選択したリストを以前にアップロード済みの器具ファイルに適用するためにシステムをスタートさせます。［Ｂｕｉｌｄ Ｒｅｖｉｅｗ Ｔａｂｌｅｓ］（検査テーブル構築）では、フォームを検査するために必要なテーブルを構築します。
【０２３１】
2004507749.tif 000047
【０２３２】
５．結果の処理が無事に終了したら、［Ｒｅｖｉｅｗ Ｒｅｓｕｌｔｓ］（結果検査）フォルダの結果を検査することになります。ここでは、分析実行を報告部のファイルに保存する前に予備検査を行うことができます。すべての結果を検査することもできます。「ＱＣ試料」を検査するよう選択すると、関連試料情報があらわれます。しかし、変更を行ったら、忘れずに下部右手角にある［Ｒｅ−Ｃａｌｃ］（再計算）ボタンをクリックして変更を反映させてください。
【０２３３】
［報告部］
報告部は、分析結果アップロード及び検査部内及びマニュアル登録及び検査部中の画面上部に配置された［Ｇｏ ｔｏ ｒｅｐｏｒｔｉｎｇ］（報告へ）ボタンをクリックすることによってアクセスすることができます。分析部での場合と同様、再び、［Ｐｒｅｐ Ｉｎｆｏｒｍａｔｉｏｎ］（予備情報）、［Ｓｅｌｅｃｔ／Ｄｅ−Ｓｅｌｅｃｔ Ｅｌｅｍｅｎｔｓ］（成分の選択／解除）、［Ｅｄｉｔ Ｒｅｓｕｌｔｓ］（結果編集）、［Ｒｅｐｏｒｔ（ｓ）］（報告）及び［Ｅｘｃｅｐｔｉｏｎ Ｒｅｐｏｒｔｓ］（例外報告）の５つのフォルダが提示されます。
【０２３４】
2004507749.tif 000048
【０２３５】
１．報告プロセスの最初のフォルダは、［Ｐｒｅｐ Ｉｎｆｏｒｍａｔｉｏｎ］（予備情報）フォルダです。このフォルダ中で次のタスクが実行可能です（ボタンの表記は［］内に表示）：
・ＬＩＭＳシステムから「クライアント情報［Ｃｌｉｅｎｔ Ｉｎｆｏ］」を検索する。
・「マトリックス［Ｍａｔｒｉｃｅｓ］」を調整する。
・「収集日［Ｄａｔｅ Ｃｏｌｌ］」及び／又は「受領日［Ｄａｔｅ Ｒｅｃ］」をセットする。
・試料を「バッチ［Ｂａｔｃｈｉｎｇ］」処理する。
・「ＱＣタイプ［ＱＣ Ｔｙｐｅｓ］」を調整する。
・（分析）「実行番号［Ｒｕｎ Ｎｕｍｂｅｒｓ］」をセットする。
・報告されていない試料に「Ｚ−フラグ［Ｚ−Ｆｌａｇ］」を立てる。
・「分析日［Ｄａｔｅ Ａｎａ］」をセットする
・試料を「選択／選択解除［Ｓｅｌｅｃｔ−Ｄｅ−Ｓｅｌｅｃｔ］」する
・「ＩＣＶ、ＩＣＢ、ＣＣＶ及びＣＣＢを再配列［Ｒｅ−Ｓｅｑｕｅｎｃｅ ＩＣＶ’ｓ， ＩＣＢ’ｓ， ＣＣＶ’ｓ ａｎｄ ＣＣＢ’ｓ］」する
【０２３６】
上記パラメタはすべて同じ方法でセットされます。ボタンをクリックし、セットするパラメタを選択し、関連付けられた試料をハイライトさせて、セットし、リターンします。繰り返しになりますが、変更したときはいつでも、その変更が確実に最終結果に適用されるように、「再処理／再計算［Ｒｅ−Ｐｒｏｃｅｓｓ／Ｒｅ−ｃａｌｃ］」ボタンをクリックすることが重要です。
【０２３７】
2004507749.tif 000049
【０２３８】
２．次のフォルダは「Ｓｅｌｅｃｔ／Ｄｅ−Ｓｅｌｅｃｔ Ｅｌｅｍ」（成分の選択／解除）です。検体はここで、試料レベルで選択及び選択解除がなされます。ここの分析ごとに複数の検体が報告されているＩＣＰがよい例です。希釈やその他の品質対照事項によっては、すべての検体を同じ分析から報告しなくてもよい。この画面によって、どの検体をどの分析から報告するかを選択することができるようになります。
【０２３９】
2004507749.tif 000050
【０２４０】
３．すべての試料及びＱＣが適切に関連付けられていることに満足したら、結果編集フォルダに移ることができます。ここでは、選択するフォーム上で報告されることになる結果を十分検査することができます。パラメタリスト、希釈係数、収集及び受領の日付　ＩＤＬ、ＲＤＬ、％Ｒ及びＲＰＤは、このフォルダ内で必要に応じ検査・編集が可能なデータのほんの一部です。全体変更（全試料に適用される変更）を行うためには、処理調整をクリックし、次のパラメタのひとつないし全部について変更を行います：
ＩＤＬ Ｖａｌｕｅｓ　　　　ＭＤＬ Ｖａｌｕｅｓ　　　　ＲＤＬ Ｖａｌｕｅｓ
Ｉｎｓｔｒｕｍｅｎｔ Ｕｎｉｔｓ　　　　Ｒｅｐｏｒｔ Ｕｎｉｔｓ
Ｕｎｉｔ Ｃｏｎｖｅｒｓｉｏｎ　　　　ＴＣＬＰ Ｒｅｇ Ｌｉｍｉｔｓ
Ｓｉｇ Ｆｉｇｓ ａｎｄ Ｓｉｇ Ｄｉｇｉｔｓ　　　　Ｍａｉｎ Ｐａｒａｍｅｔｅｒ
Ｒｅｐｏｒｔ Ｍｅｔｈｏｄ　　　　ＬＤＲ， Ｌｉｄ Ｍｅｔｈｏｄ ａｎｄ Ｉｎｓｔｒｕｍｅｎｔ
【０２４１】
2004507749.tif 000051
【０２４２】
繰り返しになりますが、［Ｒｅ−Ｃａｌｃ ａｎｄ Ｒｅｂｕｉｌｄ Ｒｅｖｉｅｗ Ｔａｂｌｅｓ］（再計算及び検査テーブル再構築）をクリックして、実施した調整事項が最終結果に反映されることを確認してください。
【０２４３】
2004507749.tif 000052
【０２４４】
４．すべての結果とパラメタを検査して、結果が良好であれば、［Ｒｅｐｏｒｔ（ｓ）］（報告）フォルダに移ることができます。必要なフォームを印刷し、ＳＤＧを保存する前に、次をご確認ください：
・報告書のヘッダ−ＳＤＧ番号、クライアント名、契約／プロジェクト、研究所コード、事案番号、ＳＡＳ番号、方法、ＳＯＷ番号、レベル、報告書ヘッダ、報告書フッタ、及びＳＤＧコメントを入力します。報告上限下限値及びフォーム８、１３、１４上にクライアントＩＤ又は研究所ＩＤの報告が必要かどうかを選択します。
・Ｚ−ｏｕｔする試料の選択−フォーム１の処理を望まず、処理ログ上でＺ−ｏｕｔされる（Ｚ印をつける）ことを望むＳＤＧに関連付けされない試料を選択します。
・処理試料の選択−報告する試料及びＱＣを選択します。
・試料コメント−試料レベルでなされるコメントで、適当なフォーム１上に表示されます。
・色、清澄性及びテクスチャ−適当なフォーム１上に表示されます。
・ＭＳＡまたはＩＥＣの編集
・ソースの検査−フォーム２ａ、４及び７用
・パラメタのＳＤＧレベルでの更新
・直接フォーム編集
【０２４５】
2004507749.tif 000053
【０２４６】
適当なモジュールをクリックし、必要なフォームを選択し、画面上の印刷又は検査を選択することによって、選択したフォームを印刷及び／又は検査の用意ができました：
・新規ＳＤＧに保存
・既存ＳＤＧに追加
【０２４７】
2004507749.tif 000054
【０２４８】
最後のフォルダは、［Ｅｘｃｅｐｔｉｏｎ Ｒｅｐｏｒｔｓ］（例外報告）です。ここでは、次の情報を含むＳＤＧ固有の例外報告を印刷することができます：「試料ＩＤ」、「クライアントＩＤ」、「例外タイプ」、「パラメタ」、「ＱＣタイプ」、「結果」、「回復」、「ＲＰＤ」、「下限値」、「上限値」及び「ＲＰＤ限界値」。
【０２４９】
2004507749.tif 000055
【０２５０】
［［ＥＩＳＣ Ｅｎｖｉｒｏｎｍｅｎｔａｌ Ｉｎｆｏｒｍａｔｉｏｎ Ｓｙｓｔｅｍｓ， Ｃｏｒｐｏｒａｔｉｏｎ］］
［ＭａｒｒｓＱＣタイプ］
ＳＡＭ：　試料　Ｓａｍｐｌｅ
ＭＢＷ：　方法空試料水　Ｍｅｔｈｏｄ Ｂｌａｎｋ Ｗａｔｅｒ
ＭＳ：　方法空試料土　Ｍｅｔｈｏｄ ＢＬＡＮＫ Ｓｏｉｌ
ＬＣＳＷ：　実験対照標準試料水　Ｌａｂｏｒａｔｏｒｙ Ｃｏｎｔｒｏｌ Ｓａｍｐｌｅ Ｗａｔｅｒ
ＬＣＳＷＤ：　実験対照標準水複製　Ｌａｂｏｒａｔｏｒｙ Ｃｏｎｔｒｏｌ Ｓａｍｐｌｅ Ｗａｔｅｒ Ｄｕｐｌｉｃａｔｅ
ＬＣＳＳ：　実験対照標準試料土　Ｌａｂｏｒａｔｏｒｙ Ｃｏｎｔｒｏｌ Ｓａｍｐｌｅ Ｓｏｌｉｄ
ＬＣＳＳＤ：　実験対照標準試料固体複製　ＬＡＢＯＲＡＴＯＲＹ Ｃｏｎｔｒｏｌ Ｓａｍｐｌｅ Ｓｏｌｉｄ Ｄｕｐｌｉｃａｔｅ
ＭＳ：　マトリックススパイク　Ｍａｔｒｉｘ Ｓｐｉｋｅ
ＭＳＤ：　マトリックススパイク複製　Ｍａｔｒｉｘ Ｓｐｉｋｅ Ｄｕｐｌｉｃａｔｅ
ＤＵＰ：　試料複製　Ｓａｍｐｌｅ Ｄｕｐｌｉｃａｔｅ
ＳＤ：　連続希釈　Ｓｅｒｉａｌ Ｄｉｌｕｔｉｏｎ
ＡＳ：　後温浸スパイク　Ｐｏｓｔ Ｄｉｇｅｓｔｉｏｎ Ｓｐｉｋｅ
ＡＳＤ：　後温浸スパイク複製　Ｐｏｓｔ Ｄｉｇｅｓｔｉｏｎ Ｓｐｉｋｅ Ｄｕｐｌｉｃａｔｅ
ＢＳ：　空試料スパイク　Ｂｌａｎｋ Ｓｐｉｋｅ
ＢＳＤ：　空試料スパイク複製　Ｂｌａｎｋ Ｓｐｉｋｅ Ｄｕｐｌｉｃａｔｅ
ＦＢ：　強化空試料　Ｆｏｒｔｉｆｉｅｄ Ｂｌａｎｋ
ＤＳＨ：　実験対照標準試料Ｈｉｇｈ　Ｌａｂｏｒａｔｏｒｙ Ｃｏｎｔｒｏｌ Ｓａｍｐｌｅ Ｈｉｇｈ
ＤＳＬ：　実験対照標準試料Ｌｏｗ　Ｌａｂｏｒａｔｏｒｙ Ｃｏｎｔｒｏｌ Ｓａｍｐｌｅ Ｌｏｗ
【０２５１】
［器具ＱＣタイプ］
ＣＡＬ：　較正標準　Ｃａｌｉｂｒａｔｉｏｎ Ｓｔａｎｄａｒｄ
ＩＣＶ：　初期較正照合　Ｉｎｉｔｉａｌ Ｃａｌｉｂｒａｔｉｏｎ Ｖｅｒｉｆｉｃａｔｉｏｎ
ＩＣＢ：　初期較正空試料　Ｉｎｉｔｉａｌ Ｃａｌｉｂｒａｔｉｏｎ Ｂｌａｎｋ
ＣＣＶ：　継続較正照合　Ｃｏｎｔｉｎｕｉｎｇ Ｃａｌｉｂｒａｔｉｏｎ Ｖｅｒｉｆｉｃａｔｉｏｎ
ＣＣＢ：　継続較正空試料　Ｃｏｎｔｉｎｕｉｎｇ Ｃａｌｉｂｒａｔｉｏｎ Ｂｌａｎｋ
ＣＲＤＬ：　ＣＲＩ／ＣＲＡ試料　ＣＲＩ／ＣＲＡ Ｓａｍｐｌｅ
ＩＣＳＡ：　ＩＣＰチェック標準Ａ　ＩＣＰ Ｃｈｅｃｋ Ｓｔａｎｄａｒｄ Ａ
ＩＣＳＡＢ：　ＩＣＰチェック標準ＡＢ　ＩＣＰ Ｃｈｅｃｋ Ｓｔａｎｄａｒｄ ＡＢ
ＬＲＡ：　線形域標準　Ｌｉｎｅａｒ Ｒａｎｇｅ Ｓｔａｎｄａｒｄ
ＬＤＳ：　低温浸標準　Ｌｏｗ Ｄｉｇｅｓｔｉｏｎ Ｓｔａｎｄａｒｄ
ＭＤＳ：　中間温浸標準　Ｍｉｄ Ｄｉｇｅｓｔｉｏｎ Ｓｔａｎｄａｒｄ
ＨＤＳ：　高温浸標準　Ｈｉｇｈ Ｄｉｇｅｓｔｉｏｎ Ｓｔａｎｄａｒｄ
ＰＱＬ ＬＯＷ：　ＰＱＬ　Ｌｏｗ
【０２５２】
［［ＥＩＳＣ Ｅｎｖｉｒｏｎｍｅｎｔａｌ Ｉｎｆｏｒｍａｔｉｏｎ Ｓｙｓｔｅｍｓ， Ｃｏｒｐｏｒａｔｉｏｎ］］
［リストの細目］
リスト関連付けフォルダ中の各リストにあるフィールドのリストを以下に示す。
【０２５３】
報告リスト
１． Ｓｅｑｕｅｎｃｅ 連続番号
２． Ｃａｓ Ｎｕｍｂｅｒ Ｃａｓ番号
３． Ｐａｒａｍｅｔｅｒ パラメタ
４． Ｐａｒａｍｅｔｅｒ Ｔｙｐｅ パラメタタイプ
５． ＲＤＬ（Ｗ）−　水の報告検出限界値
６． ＲＤＬ（Ｓ）−　固体の報告検出限界値
７． Ｒｅｐｏｒｔ？ 報告？（Ｙｅｓ／Ｎｏ）
８． Ｐａｒａｍｅｔｅｒ Ｉｎｉｔｉａｌｓ パラメタの頭文字（Ｅｌｅｍｅｎｔ Ｓｙｍｂｏｌ）
９． Ｒｅｐｏｒｔ Ｍｅｔｈｏｄ 報告方法
１０． Ｒｅｐｏｒｔ Ｐａｒａｍｅｔｅｒ 報告パラメタ（Ｅｌｅｍｅｎｔ Ｎａｍｅ）
１１． Ｗａｖｅｌｅｎｇｔｈ 波長
１２． Ｂａｃｋｇｒｏｕｎｄ バックグラウンド（フォーム１０用のＡＡ及びＨＧ）
１３． ＴＣＬＰ Ｒｅｇｕｌａｔｏｒｙ Ｌｉｍｉｔｓ ＴＣＬＰ規制限界値
１４． ＳＴＬＣ Ｒｅｇｕｌａｔｏｒｙ Ｌｉｍｉｔｓ ＳＴＬＣ規制限界値
１５． Ｉｎｓｔｒｕｍｅｎｔ ｕｎｉｔｓ（Ｗ）−　水用の器具単位
１６． Ｉｎｓｔｒｕｍｅｎｔ ｕｎｉｔｓ（Ｓ）−　固体用の器具単位
１７． Ｍａｉｎ Ｐａｒａｍｅｔｅｒ メインパラメタ
【０２５４】
ＱＣ規準リスト
１． Ｓｅｑｕｅｎｃｅ 連続番号
２． Ｐａｒａｍｅｔｅｒ パラメタ
３． ＩＤＬ−Ｉｎｓｔｒｕｍｅｎｔ Ｄｅｔｅｃｔｉｏｎ Ｌｉｍｉｔ　器具検出限界値
４． ＭＤＬ（Ｗ）−　水用の方法検出限界値
５． ＭＤＬ（Ｓ）−　固体用の方法検出限界値
６． ＬＣＳＷ Ｌｏｗ 　ＬＣＳＷ　下限値
７． ＬＣＳＷ Ｈｉｇｈ　 ＬＣＳＷ上限値
８． ＬＣＳＳ Ｌｏｗ （単位：ｍｇ／ｋｇ）
９． ＬＣＳＳ Ｈｉｇｈ （単位：ｍｇ／ｋｇ）
１０． ＭＳ Ｌｏｗ（Ｗ）　ＭＳ下限値（水）
１１． ＭＳ Ｈｉｇｈ（Ｗ）　ＭＳ上限値（水）
１２． ＭＳ Ｌｏｗ（Ｓ）　ＭＳ下限値（固体）
１３． ＭＳ Ｈｉｇｈ（Ｓ）　ＭＳ上限値（固体）
１４． ＰＤＭＳ Ｌｏｗ　ＰＤＭＳ下限値（後温浸スパイク）
１５． ＰＤＭＳ Ｈｉｇｈ　ＰＤＭＳ上限値
１６． ＬＣＳＷＤ ＲＰＤ
１７． ＬＣＳＳＤ ＲＰＤ
１８． ＭＳＤ ＲＰＤ（Ｗ）
１９． ＭＳＤ ＲＰＤ（Ｓ）
２０． ＤＵＰ ＲＰＤ（Ｗ）
２１． ＤＵＰ ＲＰＤ（Ｓ）
２２． Ｓｅｒｉａｌ Ｄｉｌｕｔｉｏｎ Ｃｒｉｔｅｒｉａ 連続希釈規準
２３． ＰＳＭＳＤ ＲＰＤ
２４． ＩＣＶ Ｃｒｉｔｅｒｉａ　ＩＣＶ規準
２５． ＣＣＶ Ｃｒｉｔｅｒｉａ　ＣＣＶ規準
２６． ＣＲＥＣＥ Ｃｒｉｔｅｒｉａ　ＣＲＥＣＥ規準
２７． ＩＣＳＡ Ｃｒｉｔｅｒｉａ　ＩＣＳＡ規準
２８． ＩＣＳＡＢ Ｃｒｉｔｅｒｉａ　ＩＣＳＡＢ規準
２９． ＰＱＬ Ｌｏｗ Ｃｒｉｔｅｒｉａ　ＰＱＬ　Ｌｏｗ規準
３０． Ｉ Ｓｔｄ． Ｌｏｗ　器具標準下限値
３１． Ｉ Ｓｔｄ． Ｈｉｇｈ　器具標準上限値
３２． Ｂｌａｎｋ Ｓｐｉｋｅ Ｌｏｗ　空試料スパイク下限値
３３． Ｂｌａｎｋ Ｓｐｉｋｅ Ｈｉｇｈ　空試料スパイク上限値
３４． Ｂｌａｎｋ Ｓｐｉｋｅ ＲＰＤ　空試料スパイクＲＰＤ
３５． ＬＤＳ Ｃｒｉｔｅｒｉａ　ＬＤＳ規準
３６． ＭＤＳ Ｃｒｉｔｅｒｉａ　ＭＤＳ規準
３７． ＨＤＳ Ｃｒｉｔｅｒｉａ　ＭＤＳ規準
３８． Ｆｏｒｔｉｆｉｅｄ Ｂｌａｎｋ Ｃｒｉｔｅｒｉａ　強化空試料規準
３９． ＬＤＲ Ｃｒｉｔｅｒｉａ　ＬＤＲ規準
４０． Ｃａｌ Ｖ Ｃｒｉｔｅｒｉａ　Ｃａｌ　Ｖ規準
４１． ＬＣＳＬ Ｌｏｗ Ｃｒｉｔｅｒｉａ　ＬＣＳＬ下限規準
４２． ＬＣＳＬ Ｈｉｇｈ Ｃｒｉｔｅｒｉａ　ＬＣＳＬ上限基準
４３． ＬＣＳＨ Ｌｏｗ Ｃｒｉｔｅｒｉａ　ＬＣＳＨ下限規準
４４． ＬＣＳＨ Ｈｉｇｈ Ｃｒｉｔｅｒｉａ　ＬＣＳＨ上限規準
４５． ＩＣＢ Ｍｕｌｔｉｐｌｉｅｒ Ｔｙｐｅ　ＩＣＢ乗算器タイプ
４６． ＩＣＢ Ｍｕｌｔｉｐｌｉｅｒ　ＩＣＢ乗算器
４７． ＣＣＢ Ｍｕｌｔｉｐｌｉｅｒ Ｔｙｐｅ　ＣＣＢ乗算器タイプ
４８． ＣＣＢ Ｍｕｌｔｉｐｌｉｅｒ　ＣＣＢ乗算器
４９． ＳＤ Ｍｕｌｔｉｐｌｉｅｒ Ｔｙｐｅ　ＳＤ乗算器タイプ （ＥＸ： Ｘ ＩＤＬ）
５０． ＳＤ Ｍｕｌｔｉｐｌｉｅｒ　ＳＤ乗算器（ＥＸ ： ５０）
【０２５５】
［［ＥＩＳＣ Ｅｎｖｉｒｏｎｍｅｎｔａｌ Ｉｎｆｏｒｍａｔｉｏｎ Ｓｙｓｔｅｍｓ， Ｃｏｒｐｏｒａｔｉｏｎ］］
真値リスト−器具毎の標準ソースを入力及び／又は編集する
１． Ｓｅｑｕｅｎｃｅ　連続番号
２． Ｐａｒａｍｅｔｅｒ　パラメタ
３． ＬＣＳＷ
４． ＬＣＳＳ
５． ＭＳ （Ｗ）
６． ＭＳ （Ｓ）
７． ＰＤＭＳ
８． ＣＲＩ／ＣＲＡ
９． ＩＣＳＡ
１０． ＩＣＳＡＢ
１１． ＰＱＬ ＬＯＷ　ＰＱＬ下限値
１２． ＬＲＡ ＴｒｕｅＶａｌｕｅ　ＬＲＡ真値
１３． Ｂｌａｎｋ Ｓｐｉｋｅ　空試料スパイク
１４． ＬＤＲ
１５． Ｉｎｔｅｇｒａｔｉｏｎ Ｔｉｍｅ　積算時間
１６． Ｈｉｇｈ Ｓｔａｎｄａｒｄ　上限標準値
１７． ＬＣＳＬ
１８． ＬＣＳＨ
１９． ＬＤＳ
２０． ＭＤＳ
２１． ＨＤＳ
２２． ＩＣＶ
２３． ＣＣＶ
２４． Ｃａｌ Ｖ
２５． Ｆｏｒｔｉｆｉｅｄ Ｂｌａｎｋ　強化空試料
【０２５６】
検査及びクオリファイアリスト
【０２５７】
2004507749.tif 000056
【０２５８】
１． Ｒｅｖｉｅｗ Ｎａｍｅ　検査名
２． Ａｌｌ Ｓａｍｐｌｅｓ 全試料（Ｙｅｓ／Ｎｏ）
３． ＱＣ Ｔｙｐｅ　ＱＣタイプ
４． Ｐａｒａｍｅｔｅｒ Ｔｙｐｅ　パラメタタイプ
５． Ｓａｍｐｌｅ Ｑｕａｌｉｆｉｅｒ　試料クオリファイア
６． Ｇｌｏｂａｌ Ｑｕａｌｉｆｉｅｒ　グローバルクオリファイア
７． Ｒｅｖｉｅｗ Ｍｅｓｓａｇｅ　（例外報告上に表れる）
８． Ｒｅｖｉｅｗ Ｇｒｏｕｐ　検査グループ
９． Ｒｅｖｉｅｗ Ｔｙｐｅ　検査タイプ（試料レベル）
【０２５９】
［［ＥＩＳＣ Ｅｎｖｉｒｏｎｍｅｎｔａｌ Ｉｎｆｏｒｍａｔｉｏｎ Ｓｙｓｔｅｍｓ， Ｃｏｒｐｏｒａｔｉｏｎ］］
計算プロセスリスト
【０２６０】
2004507749.tif 000057
【０２６１】
１． Ｃａｌｃｕｌａｔｉｏｎ Ｎａｍｅ　計算名
２． Ａｌｌ Ｓａｍｐｌｅｓ　全試料（Ｙｅｓ／Ｎｏ）
３． ＱＣ Ｔｙｐｅ　ＱＣタイプ
４． Ｐａｒａｍｅｔｅｒ Ｔｙｐｅ　パラメタタイプ
５． Ｃａｌｃ Ｇｒｏｕｐ　計算グループ
６． Ｃａｌｃ Ｌｉｓｔ Ｎａｍｅ　計算リスト
７． Ｃａｌｃ Ｔｙｐｅ　計算タイプ（試料レベル）
【０２６２】
有効数字／有効桁数リスト
１． Ｓｅｑｕｅｎｃｅ　連続番号
２． Ｐａｒａｍｅｔｅｒ　パラメタ
３． Ｆｏｒｍ １ ｓｉｇ ｆｉｇ ＞＝ １００（フォーム１で結果の有効数字が１００以上）
４． Ｆｏｒｍ １ ｓｉｇ ｄｉｇ ＞＝ １００（フォーム１で結果の有効桁数が１００以上）
５． Ｆｏｒｍ １ ｓｉｇ ｆｉｇ ＞＝ １０
６． Ｆｏｒｍ １ ｓｉｇ ｄｉｇ ＞＝ １０
７． Ｆｏｒｍ １ ｓｉｇ ｆｉｇ ＜＝ １
８． Ｆｏｒｍ １ ｓｉｇ ｄｉｇ ＞＝ １
９． Ｆｏｒｍ １ ｓｉｇ ｆｉｇｓ ＞＝ ０
１０． Ｆｏｒｍ １ ｓｉｇ ｄｉｇ ＞＝ ０
１１． Ｆｏｒｍ ２ａ　真値の有効桁数
１２． Ｆｏｒｍ ２ａ ｓｉｇ ｆｉｇｓ Ｆｏｕｎｄ Ｖａｌｕｅ
１３． Ｆｏｒｍ ２ａ ｓｉｇ ｄｉｇ Ｆｏｕｎｄ Ｖａｌｕｅ
１４． Ｆｏｒｍ ２ａ ｓｉｇ ｄｉｇ Ｒｅｃｏｖｅｒｙ
１５． Ｆｏｒｍ ２ｂ　真値の有効桁数
１６． Ｆｏｒｍ ２ｂ ｓｉｇ ｆｉｇｓ Ｆｏｕｎｄ Ｖａｌｕｅ
１７． Ｆｏｒｍ ２ｂ ｓｉｇ ｄｉｇ Ｆｏｕｎｄ Ｖａｌｕｅ
１８． Ｆｏｒｍ ２ｂ ｓｉｇ ｄｉｇ Ｒｅｃｏｖｅｒｙ
１９． Ｆｏｒｍ ３ａ ｓｉｇ ｆｉｇ ＩＣＢ／ＣＣＢ
２０． Ｆｏｒｍ ３ａ ｓｉｇ ｄｉｇ ＩＣＢ／ＣＣＢ
２１． Ｆｏｒｍ ３ａ ｓｉｇ ｆｉｇ ＰＢ
２２． Ｆｏｒｍ ３ａ ｓｉｇ ｄｉｇ ＰＢ
【０２６３】
［［ＥＩＳＣ Ｅｎｖｉｒｏｎｍｅｎｔａｌ Ｉｎｆｏｒｍａｔｉｏｎ Ｓｙｓｔｅｍｓ， Ｃｏｒｐｏｒａｔｉｏｎ］］
有効数字／有効桁数リスト（続き）
２３． Ｆｏｒｍ ４ ｓｉｇ ｄｉｇ Ｔｒｕｅ Ｖａｌｕｅ
２４． Ｆｏｒｍ ４ ｓｉｇ ｆｉｇ ＩＣＳＡ
２５． Ｆｏｒｍ ４ ｓｉｇ ｄｉｇ ＩＣＳＡ
２６． Ｆｏｒｍ ４ ｓｉｇ ｆｉｇ ＩＣＳＡＢ
２７． Ｆｏｒｍ ４ ｓｉｇ ｄｉｇ ＩＣＳＡＢ
２８． Ｆｏｒｍ ４ ｓｉｇ ｄｉｇ Ｒｅｃｏｖｅｒｉｅｓ
２９． Ｆｏｒｍ ５ａ ｓｉｇ ｆｉｇ Ｒｅｓｕｌｔ
３０． Ｆｏｒｍ ５ａ ｓｉｇ ｄｉｇ Ｒｅｓｕｌｔ
３１． Ｆｏｒｍ ５ａ ｓｉｇ ｄｉｇ Ｓｐｉｋｅ
３２． Ｆｏｒｍ ５ａ ｓｉｇ ｄｉｇ Ｒｅｃｏｖｅｒｙ
３３． Ｆｏｒｍ ５ｂ ｓｉｇ ｆｉｇ Ｒｅｓｕｌｔ
３４． Ｆｏｒｍ ５ｂ ｓｉｇ ｄｉｇ Ｒｅｓｕｌｔ
３５． Ｆｏｒｍ ５ｂ ｓｉｇ ｄｉｇ Ｓｐｉｋｅ
３６． Ｆｏｒｍ ５ｂ ｓｉｇ ｄｉｇ Ｒｅｃｏｖｅｒｙ
３７． Ｆｏｒｍ ６ ｓｉｇ ｆｉｇ Ｒｅｓｕｌｔ
３８． Ｆｏｒｍ ６ ｓｉｇ ｄｉｇ Ｒｅｓｕｌｔ
３９． Ｆｏｒｍ ６ ｓｉｇ ｄｉｇ ＲＰＤ
４０． Ｆｏｒｍ ７ ｓｉｇ ｄｉｇ Ｔｒｕｅ Ｖａｌｕｅ
４１． Ｆｏｒｍ ７ ｓｉｇ ｆｉｇ Ｆｏｕｎｄ Ｖａｌｕｅ
４２． Ｆｏｒｍ ７ ｓｉｇ ｄｉｇ Ｆｏｕｎｄ Ｖａｌｕｅ
４３． Ｆｏｒｍ ７ ｓｉｇ ｄｉｇ Ｒｅｃｏｖｅｒｙ
４４． Ｆｏｒｍ ９ ｓｉｇ ｆｉｇ Ｒｅｓｕｌｔ
４５． Ｆｏｒｍ ９ ｓｉｇ ｄｉｇ Ｒｅｓｕｌｔ
４６． Ｆｏｒｍ ９ ｓｉｇ ｄｉｇ Ｐｅｒｃｅｎｔ Ｄ
４７． Ｆｏｒｍ １０ ｓｉｇ ｄｉｇ Ｈｉｇｈ Ｌｉｍｉｔ
４８． Ｆｏｒｍ １０ ｓｉｇ ｄｉｇ Ｌｏｗ Ｌｉｍｉｔ
【０２６４】
印刷セットアップリスト
１． Ｆｏｒｍ １をＰＱＬへ（非検出結果をＰＱＬに報告−Ｕフラグを立て、報告制限とＰＱＬ間のＴｒａｃｅ Ｖａｌｕｅｓ“Ｂ”を報告する）
２． Ｆｏｒｍ ３をＰＱＬへ
３． Ｆｏｒｍ ５ａをＰＱＬへ
４． Ｆｏｒｍ ５ｂをＰＱＬへ
５． Ｆｏｒｍ ６をＰＱＬへ
６． Ｆｏｒｍ ７をＰＱＬへ
７． Ｆｏｒｍ ９をＰＱＬへ
８． ％固体定式化の有効桁数
９． Ｆｏｒｍ １ Ｎｏ Ｂ（Ｕフラグの立っているＰＱＬより低い全結果を報告−Ｔｒａｃｅ Ｖａｌｕｅｓなし）
１０． Ｆｏｒｍ ３ Ｎｏ Ｂ
【図面の簡単な説明】
【図１】
［０００７］図１は、本発明に係るコンピュータに実装された分析及び報告システムの模式図である。
【図１】
2004507749.tif 000058
【国際公開パンフレット】
2004507749.tif 000059
2004507749.tif 000060
2004507749.tif 000061
2004507749.tif 000062
2004507749.tif 000063
2004507749.tif 000064
2004507749.tif 000065
2004507749.tif 000066
2004507749.tif 000067
2004507749.tif 000068
2004507749.tif 000069
2004507749.tif 000070
2004507749.tif 000071
2004507749.tif 000072
2004507749.tif 000073
2004507749.tif 000074
2004507749.tif 000075
2004507749.tif 000076
2004507749.tif 000077
2004507749.tif 000078
2004507749.tif 000079
2004507749.tif 000080
2004507749.tif 000081
2004507749.tif 000082
2004507749.tif 000083
2004507749.tif 000084
2004507749.tif 000085
2004507749.tif 000086
2004507749.tif 000087
2004507749.tif 000088
2004507749.tif 000089
2004507749.tif 000090
2004507749.tif 000091
2004507749.tif 000092
2004507749.tif 000093
2004507749.tif 000094
2004507749.tif 000095
2004507749.tif 000096
2004507749.tif 000097
2004507749.tif 000098
2004507749.tif 000099
2004507749.tif 000100
2004507749.tif 000101
2004507749.tif 000102
2004507749.tif 000103
2004507749.tif 000104
2004507749.tif 000105
2004507749.tif 000106
2004507749.tif 000107
2004507749.tif 000108
2004507749.tif 000109
2004507749.tif 000110
2004507749.tif 000111
2004507749.tif 000112
2004507749.tif 000113
2004507749.tif 000114
2004507749.tif 000115
2004507749.tif 000116
2004507749.tif 000117
2004507749.tif 000118
2004507749.tif 000119
2004507749.tif 000120
2004507749.tif 000121
2004507749.tif 000122
2004507749.tif 000123
2004507749.tif 000124
2004507749.tif 000125
2004507749.tif 000126
2004507749.tif 000127
2004507749.tif 000128
2004507749.tif 000129
2004507749.tif 000130
2004507749.tif 000131
2004507749.tif 000132
【国際調査報告】
2004507749.tif 000133
2004507749.tif 000134